(57)【特許請求の範囲】
【請求項１】
対象者の栄養状態を診断した結果に基づき栄養補助剤を配合する栄養補助剤配合装置であって、
前記対象者を識別する顧客識別情報を外部の前記対象者の端末から取得する顧客認証入力部と、
前記端末から前記対象者に対応する前記栄養補助剤の配合を示す配合情報を取得する栄養補助剤配合取得部と、
前記配合情報を基に前記栄養補助剤を配合する栄養補助剤配合部と、
前記対象者の端末に前記配合情報を表示させるとともに、前記配合情報に基づく前記栄養補助剤の製造を対象者が依頼するかを問い合わせる製造依頼受信部を備え、
前記端末と１以上の前記栄養補助剤配合部は、ネットワークに接続され、
前記栄養補助剤配合取得部は、前記対象者が指定した摂取すべき曜日別の味付け、色、香り、及び形状の少なくとも一つを示す情報を前記端末から取得し、
前記栄養補助剤配合部は、味付け、色、香り、及び形状の少なくとも一つを示す前記情報に基づき前記栄養補助剤を配合することを特徴とする栄養補助剤配合装置。
【請求項２】
前記顧客認証入力部は、前記顧客識別情報を記録した記録媒体を用いて前記顧客識別情報を前記端末から取得することを特徴とする請求項１記載の栄養補助剤配合装置。
【請求項３】
前記製造依頼受信部は、前記配合情報に基づく前記栄養補助剤の製造依頼を前記対象者から受信し、前記対象者から前記製造依頼を受信した場合に、前記栄養補助剤配合部に前記栄養補助剤の配合を行わせることを特徴とする請求項１または２に記載の栄養補助剤配合装置。
【請求項４】
前記栄養補助剤配合部は、前記味付けを示す情報に基づき味付けを調整する成分を前記栄養補助剤に添加することを特徴とする請求項１から３のいずれか１項に記載の栄養補助剤配合装置。
【請求項５】
前記栄養補助剤配合部は、前記色を示す情報に基づき色を調整する成分を前記栄養補助剤に添加することを特徴とする請求項１から４のいずれか１項に記載の栄養補助剤配合装置。
【請求項６】
前記栄養補助剤配合部は、前記香りを示す情報に基づき香りを調整する成分を前記栄養補助剤に添加することを特徴とする請求項１から５のいずれか１項に記載の栄養補助剤配合装置。
【請求項７】
前記栄養補助剤配合部は、前記形状を示す情報に基づき前記栄養補助剤の形状を選択することを特徴とする請求項１から６のいずれか１項に記載の栄養補助剤配合装置。
【請求項８】
対象者の栄養状態を診断した結果に基づき栄養補助剤を配合する栄養補助剤配合装置であって、
前記対象者に問診項目を提示し問診回答を得る問診処理部と、
前記問診回答を用いて、前記対象者に対応する前記栄養補助剤の配合を示す配合情報を外部の前記対象者の端末から取得する栄養補助剤配合取得部と、
前記配合情報に基づき栄養補助剤を配合する栄養補助剤配合部と、
前記対象者の端末に前記配合情報を表示させるとともに、前記配合情報に基づく前記栄養補助剤の製造を対象者が依頼するかを問い合わせる製造依頼受信部を備え、
前記端末と１以上の前記栄養補助剤配合部は、ネットワークに接続され、
前記栄養補助剤配合取得部は、前記対象者が指定した摂取すべき曜日別の味付け、色、香り、及び形状の少なくとも一つを示す情報を前記端末から取得し、
前記栄養補助剤配合部は、味付け、色、香り、及び形状の少なくとも一つを示す前記情報に基づき前記栄養補助剤を配合することを特徴とする栄養補助剤配合装置。
【請求項９】
前記対象者を識別する顧客識別情報を前記端末から取得する顧客認証入力部をさらに備え、
前記栄養補助剤配合装置の外部の前記対象者に対応する問診回答情報を、前記顧客識別情報及び前記問診回答を用いて更新することを特徴とする請求項８記載の栄養補助剤配合装置。
【請求項１０】
前記製造依頼受信部は、前記配合情報に基づく前記栄養補助剤の製造依頼を前記対象者から受信し、前記対象者から前記製造依頼を受信した場合に、前記栄養補助剤配合部に前記栄養補助剤の配合を行わせることを特徴とする請求項８または９に記載の栄養補助剤配合装置。
【請求項１１】
前記栄養補助剤配合部は、前記味付けを示す情報に基づき味付けを調整する成分を前記栄養補助剤に添加することを特徴とする請求項８から１０のいずれか１項に記載の栄養補助剤配合装置。
【請求項１２】
前記栄養補助剤配合部は、前記色を示す情報に基づき色を調整する成分を前記栄養補助剤に添加することを特徴とする請求項８から１１のいずれか１項に記載の栄養補助剤配合装置。
【請求項１３】
前記栄養補助剤配合部は、前記香りを示す情報に基づき香りを調整する成分を前記栄養補助剤に添加することを特徴とする請求項８から１２のいずれか１項に記載の栄養補助剤配合装置。
【請求項１４】
前記栄養補助剤配合部は、前記形状を示す情報に基づき前記栄養補助剤の形状を選択することを特徴とする請求項８から１３のいずれか１項に記載の栄養補助剤配合装置。
【請求項１５】
問診回答から対象者の栄養状態を診断し、診断結果に基づき栄養補助剤を配合する栄養補助剤配合システムであって、
問診回答から対象者の栄養状態を診断し栄養補助剤の配合を提案する栄養補助剤提案装置と、
前記栄養補助剤提案装置が提案した栄養補助剤を配合する栄養補助剤配合装置を備え、
前記栄養補助剤提案装置は、
問診項目に対する対象者の問診回答を外部の前記対象者の端末から取得し、前記対象者の栄養要求量を算出する栄養要求量算出部と、
前記栄養要求量算出部による前記対象者の前記栄養要求量の情報を基に、前記栄養補助剤の配合を提案する栄養補助剤提案部を有し、
前記栄養補助剤配合装置は、
前記対象者の端末に前記栄養補助剤の配合情報を表示させるとともに、前記配合情報に基づく前記栄養補助剤の製造を対象者が依頼するかを問い合わせる製造依頼受信部を有し、
前記端末と１以上の前記栄養補助剤配合装置は、ネットワークに接続され、
前記栄養補助剤配合装置は、前記対象者が指定した摂取すべき曜日別の味付け、色、香り、及び形状の少なくとも一つを示す情報を前記端末から取得し、味付け、色、香り、及び形状の少なくとも一つを示す前記情報に基づき前記栄養補助剤を配合することを特徴とする栄養補助剤配合システム。
【請求項１６】
対象者の端末から取得する栄養状態を診断した結果に基づき栄養補助剤を配合する栄養補助剤配合装置であって、
前記対象者に問診項目を提示し問診回答を得る問診処理部と、
前記問診回答から前記対象者の栄養要求量を算出する栄養要求量算出部と、
前記対象者の前記栄養要求量を基に、前記栄養補助剤の配合を提案する栄養補助剤提案部と、
前記栄養補助剤の配合に基づき栄養補助剤を配合する栄養補助剤配合部と、
前記対象者の端末に前記栄養補助剤の配合情報を表示させるとともに、前記配合情報に基づく前記栄養補助剤の製造を対象者が依頼するかを問い合わせる製造依頼受信部を備え、
前記端末と１以上の前記栄養補助剤配合部は、ネットワークに接続され、
前記栄養補助剤配合装置は、前記対象者が指定した摂取すべき曜日別の味付け、色、香り、及び形状の少なくとも一つを示す情報を前記端末から取得し、
前記栄養補助剤配合部は、味付け、色、香り、及び形状の少なくとも一つを示す前記情報に基づき前記栄養補助剤を配合することを特徴とする栄養補助剤配合装置。
【請求項１７】
前記製造依頼受信部は、前記栄養補助剤の配合に基づく前記栄養補助剤の製造依頼を前記対象者から受信し、前記対象者から前記製造依頼を受信した場合に、前記栄養補助剤配合部に前記栄養補助剤の配合を行わせることを特徴とする請求項１６記載の栄養補助剤配合装置。
【請求項１８】
対象者の端末から取得する栄養状態を診断した結果に基づき栄養補助剤を配合する栄養補助剤配合装置であって、
前記対象者に対応する栄養補助剤の配合を示す配合情報を記録した携帯可能な記録媒体からネットワークを介して、前記配合情報を取得する栄養補助剤配合取得部と、
前記配合情報に基づき栄養補助剤を配合する栄養補助剤配合部と、
前記対象者の端末に前記配合情報を表示させるとともに、前記配合情報に基づく前記栄養補助剤の製造を対象者が依頼するかを問い合わせる製造依頼受信部を備え、
前記端末と１以上の前記栄養補助剤配合部は、ネットワークに接続され、
前記栄養補助剤配合取得部は、前記対象者が指定した摂取すべき曜日別の味付け、色、香り、及び形状の少なくとも一つを示す情報を前記端末から取得し、
前記栄養補助剤配合部は、味付け、色、香り、及び形状の少なくとも一つを示す前記情報に基づき前記栄養補助剤を配合することを特徴とする栄養補助剤配合装置。
【発明の詳細な説明】
【技術分野】
【０００１】
本発明は、栄養要求量算出装置、栄養補助剤提案装置、栄養補助剤配合装置及び栄養補助剤配合システムに関する。
【背景技術】
【０００２】
対象者の栄養状態を調査し、これに基づき栄養指導を行う技術は、例えば特開２００１−１０１１５７、特開２０００−１５８８５３に見られる。特開２００１−１０１１５７は、昼食等の確実に摂取する栄養価と必要栄養価を用いて、食事のレシピ情報を対象者に提示する装置及びシステムを提供する。特開２０００−１５８８５３は、食生活と健康状態に関する問診結果を各々評価し、これらの評価結果を総合して潜在性微量栄養素欠乏症の有無を栄養指導の形で対象者に告知する装置及びシステムを提供する。
【発明の概要】
【発明が解決しようとする課題】
【０００３】
対象者が栄養状態の改善を目指すのは、単に必要な栄養価を満たすだけでなく、例えば美容、健康、又はダイエット等の種々の生活目標を達成するためである。従来は、各々の対象者の体質や、種々の生活目標に応じた栄養摂取をサポートすることは困難であった。そこで本発明は、このような問題を解決することを目的とする。
【課題を解決するための手段】
【０００４】
このような目的を達成するために、本発明の第１の形態によれば、問診回答から対象者の栄養要求量を算出する栄養要求量算出装置であって、異なる日又は時刻に対象者から回答された、複数の問診回答を外部から取得する問診回答取得部と、問診回答取得部が取得した問診回答の各々に対応する栄養素の不足度を定める不足栄養素処理部と、栄養素の不足度を積算した結果を基に対象者の栄養要求量を算出する栄養要求量算出部を備えることを特徴とする栄養要求量算出装置を提供する。
【０００５】
初回以外のいずれかの問診において、対象者の栄養要求量の時間経過による変化を基に、問診項目のデータベースから対象者に対する問診項目を選択する問診処理部を更に備えてもよい。
【０００６】
また、初回以外のいずれかの問診において、対象者が予め指定した生活目標を基に、問診項目のデータベースから対象者に対する問診項目を選択する問診処理部を更に備えてもよい。
【０００７】
また、初回以外のいずれかの問診において、問診項目毎に予め定めた時間間隔に基づき、問診項目のデータベースから対象者に対する問診項目を選択する問診処理部を更に備えてもよい。
【０００８】
また、初回以外のいずれかの問診において、対象者が問診回答を入力する端末に、回答要求度の高い順に問診項目を表示させる問診処理部を更に備えてもよい。
【０００９】
また、栄養要求量算出装置は、対象者の栄養要求量の履歴を記憶する問診履歴データベースと、初回以外のいずれかの問診において、対象者の履歴を用いて、問診項目のデータベースから対象者に対する問診項目を選択する問診処理部とを備えてもよい。
【００１０】
また、対象者に問診する問診項目を指定する問診処理部を更に備え、栄養要求量算出部は、対象者の栄養要求量に基づき対象者に対する栄養摂取の助言を出力し、問診処理部は、栄養要求量算出部が以前に出力した栄養要求量を、対象者が摂取しているかを示す栄養摂取状況を質問する問診項目を指定し、栄養要求量算出部は、栄養摂取状況の問診回答に基づき対象者の栄養要求量を算出してもよい。
【００１１】
また、栄養要求量算出部は、栄養摂取状況の問診の結果、対象者が栄養要求量に基づき栄養素を摂取していると判断し、かつ、対象者の栄養要求量が少なくとも一つの栄養素について改善しないと判断した場合に、医療機関での診療を推奨する診療推奨情報を出力してもよい。
【００１２】
また、栄養要求量算出部は、対象者の栄養要求量の算出結果に基づき推定病名を判定する病名推定部を更に有し、診療推奨情報として推定病名を出力してもよい。
【００１３】
また、栄養要求量算出部は、栄養要求量の算出結果に基づき推定病名を判定する病名推定部と、推定病名に対応する推奨医療機関を選択する医療機関推奨部を更に有し、診療推奨情報として推奨医療機関を出力してもよい。
【００１４】
また、本発明の第２の形態によれば、問診回答から対象者の栄養要求量を算出する栄養要求量算出装置であって、問診項目に対する対象者の問診回答を外部から取得する問診回答取得部と、問診回答取得部が取得した問診回答の各々に対応する栄養素の不足度を定める不足栄養素処理部と、外部から取得した対象者の生活環境を示す生活環境情報と、栄養素の不足度を積算した結果を用いて対象者の栄養要求量を算出する栄養要求量算出部を備えることを特徴とする栄養要求量算出装置を提供する。
【００１５】
栄養要求量算出部は、地域毎に対応する生活環境情報を記憶する生活環境データベースと、対象者が予め指定した対象者の住所を用いて、生活環境データベースを検索し、対象者の住所に対応する生活環境情報を取得する生活環境検索部を有し、生活環境検索部が検索した生活環境情報を用いて、対象者の栄養要求量を算出してもよい。
【００１６】
また、栄養要求量算出部は、地域毎に対応する生活環境情報を記憶する生活環境データベースと、対象者が予め指定した対象者の住所を用いて、生活環境データベースを検索し、対象者の住所に対応する生活環境情報を取得する生活環境検索部と、対象者が予め指定した対象者の勤務先住所を用いて、生活環境データベースを検索し、対象者の勤務先住所に対応する生活環境情報を取得する勤務先生活環境検索部を有し、住所及び勤務先住所に対応する生活環境情報を用いて、対象者の栄養要求量を算出してもよい。
【００１７】
また、本発明の第３の形態によれば、問診回答から対象者の栄養要求量を算出する栄養要求量算出装置であって、問診項目に対する対象者の問診回答を外部から取得する問診回答取得部と、問診回答取得部が取得した問診回答の各々に対する対応する栄養素の不足度を定める不足栄養素算出部と、栄養素の不足度を積算した結果を基に対象者の栄養要求量を算出する栄養要求量算出部を備え、栄養要求量算出部は、予め定められた栄養要求量の制約情報を基に、栄養要求量を調整する抑制処理部を有することを特徴とする栄養要求量算出装置を提供する。
【００１８】
栄養要求量算出部は、予め外部から取得した対象者の生活目標に基づき、栄養要求量を調整する目的別栄養処理部を有してもよい。
【００１９】
また、栄養要求量算出部は、初回以外のいずれかの問診において、各問診回答に対応して積算する栄養素の不足度を、少なくとも一つの問診回答について初回と比較し低減させてもよい。
【００２０】
また、栄養要求量算出部は、予め定められた栄養素の相互作用の情報を基に、栄養要求量を調整する相互作用処理部を有してもよい。
【００２１】
また、本発明の第４の形態によれば、問診回答から対象者の栄養要求量を算出する栄養要求量算出装置であって、問診項目に対する対象者の問診回答を外部から取得し、各問診回答に対応する不足栄養素を累積した結果を基に対象者の栄養要求量を算出する栄養要求量算出部と、複数の対象者について、栄養要求量算出部が判定した栄養要求量と、外部から取得した生活環境との相関関係を解析する相関処理部と、相関関係の解析結果を用いて対象者に問診する問診項目を指定する問診処理部を備えることを特徴とする栄養要求量算出装置を提供する。
【００２２】
また、本発明の第５の形態によれば、問診回答から対象者の栄養要求量を算出する栄養要求量算出装置であって、問診項目に対する対象者の問診回答を外部から取得し、各問診回答に対応する不足栄養素を累積した結果を基に対象者の栄養要求量を算出する栄養要求量算出部と、複数の対象者について、栄養要求量算出部が算出した栄養要求量と、外部から取得した生活目標との相関関係を解析する相関処理部と、相関関係の解析結果を用いて対象者に問診する問診項目を指定する問診処理部を備えることを特徴とする栄養要求量算出装置を提供する。
【００２３】
また、本発明の第６の形態によれば、問診回答から対象者の栄養要求量を算出し栄養補助剤の配合を提案する栄養補助剤提案装置であって、問診項目に対する対象者の問診回答を外部から取得し、対象者の栄養要求量を算出する栄養要求量算出部と、栄養要求量算出部による対象者の栄養栄養要求量の情報を基に、栄養補助剤の配合を提案する栄養補助剤提案部を備えることを特徴とする栄養補助剤提案装置を提供する。
【００２４】
栄養要求量算出部は、異なる日又は時刻に回答された対象者の問診回答を複数外部から取得して、これらを基に対象者の栄養要求量を算出してもよい。
【００２５】
また、初回以外のいずれかの問診において、対象者の栄養要求量の時間経過による変化を基に、問診項目のデータベースから対象者に対する問診項目を選択する問診処理部を更に備えてもよい。
【００２６】
また、初回以外のいずれかの問診において、対象者が予め指定した生活目標を基に、問診項目のデータベースから対象者に対する問診項目を選択する問診処理部を更に備えてもよい。
【００２７】
また、初回以外のいずれかの問診において、問診項目毎に予め定めた時間間隔に基づき、問診項目のデータベースから対象者に対する問診項目を選択する問診処理部を更に備えてもよい。
【００２８】
また、初回以外のいずれかの問診において、対象者が問診回答を入力する端末に、回答要求度の高い順に問診項目を表示させる問診処理部を更に備えてもよい。
【００２９】
また、栄養補助剤提案装置は、対象者の栄養要求量の履歴を記憶する問診履歴データベースと、初回以外のいずれかの問診において、対象者の履歴を用いて、問診項目のデータベースから対象者に対する問診項目を選択する問診処理部を備えてもよい。
【００３０】
また、栄養補助剤配合部が以前に提案した栄養補助剤を、対象者が摂取しているかを示す栄養摂取状況の問診項目を選択する問診処理部を更に備え、栄養要求量算出部は、栄養摂取状況の問診回答に基づき、対象者の栄養要求量を算出してもよい。
【００３１】
また、栄養要求量算出部は、栄養摂取状況の問診の結果、対象者が栄養補助剤を摂取していると判断し、かつ、対象者の栄養要求量が少なくとも一つの栄養素について改善しないと判断した場合に、医療機関での診療を推奨する診療推奨情報を出力してもよい。
【００３２】
また、栄養要求量算出部は、対象者の栄養要求量の算出結果に基づき推定病名を判定する病名推定部を更に有し、診療推奨情報として推定病名を出力してもよい。
【００３３】
また、栄養要求量算出部は、対象者の栄養要求量の算出結果に基づき推定病名を判定する病名推定部と、推定病名に対応する推奨医療機関を選択する医療機関推奨部を更に有し、診療推奨情報として推奨医療機関を出力してもよい。
【００３４】
また、栄養要求量算出部は、外部から取得した対象者の生活環境を示す生活環境情報を用いて、対象者の栄養要求量を算出してもよい。
【００３５】
また、栄養要求量算出部は、地域毎に対応する生活環境情報を記憶する生活環境データベースと、対象者が予め指定した対象者の住所を用いて、生活環境データベースを検索し、対象者の住所に対応する生活環境情報を取得する生活環境検索部を有し、生活環境検索部が検索した生活環境情報を用いて、対象者の栄養要求量を算出してもよい。
【００３６】
また、栄養要求量算出部は、地域毎に対応する生活環境情報を記憶する生活環境データベースと、対象者が予め指定した対象者の住所を用いて、生活環境データベースを検索し、対象者の住所に対応する生活環境情報を取得する生活環境検索部と、対象者が予め指定した対象者の勤務先住所を用いて、生活環境データベースを検索し、対象者の勤務先住所に対応する生活環境情報を取得する勤務先生活環境検索部を有し、住所及び勤務先住所に対応する生活環境情報を用いて、対象者の栄養要求量を算出してもよい。
【００３７】
また、栄養要求量算出部は、対象者が予め指定した生活目標を用いて、対象者の栄養要求量を算出してもよい。
【００３８】
また、栄養要求量算出部は、予め定められた栄養素の相互作用の情報を基に、栄養要求量を調整する相互作用処理部を有してもよい。
【００３９】
また、栄養要求量算出部は、予め定められた栄養素量の制約情報を基に、栄養要求量を調整する抑制処理部を有してもよい。
【００４０】
また、複数の対象者について、栄養要求量算出部が判定した栄養状態と、外部から取得した生活環境の相関関係を解析する相関処理部と、相関関係の解析結果を用いて対象者に問診する問診項目を指定する問診処理部を備えてもよい。
【００４１】
また、複数の対象者について、栄養要求量算出部が判定した栄養状態と、対象者が予め指定した生活目標の相関関係を解析する相関処理部と、相関関係の解析結果を用いて対象者に問診する問診項目を指定する問診処理部を備えてもよい。
【００４２】
また、栄養補助剤提案部が提案した配合に基づく栄養補助剤の製造依頼を対象者から受信する製造依頼受信部を更に備え、製造依頼受信部は、対象者から製造依頼を受信した場合に、栄養補助剤提案部から外部に対して栄養補助剤の製造依頼を行わせてもよい。
【００４３】
また、問診項目は、栄養補助剤提案部が提案する栄養補助剤の味に対する対象者の要求を問診する項目を含み、栄養補助剤提案部は、栄養補助剤の配合として、対象者の指定した味付けに調整する成分を添加した配合を提案してもよい。
【００４４】
また、問診項目は、栄養補助剤提案部が提案する栄養補助剤の色に対する対象者の要求を問診する項目を含み、栄養補助剤提案部は、栄養補助剤の配合として、対象者の指定した色に調整する成分を添加した配合を提案してもよい。
【００４５】
また、問診項目は、栄養補助剤提案部が提案する栄養補助剤の香りに対する対象者の要求を問診する項目を含み、栄養補助剤提案部は、栄養補助剤の配合として、対象者の指定した香りに調整する成分を添加した配合を提案してもよい。
【００４６】
また、問診項目は、栄養補助剤提案部が提案する栄養補助剤の形状に対する対象者の要求を問診する項目を含み、栄養補助剤提案部は、対象者の指定した形状に基づく栄養補助剤を提案してもよい。
【００４７】
本発明の第７の形態によれば、対象者の栄養状態を診断した結果に基づき栄養補助剤を配合する栄養補助剤配合装置であって、対象者を識別する顧客識別情報を外部から取得する顧客認証入力部と、外部から対象者に対応する栄養補助剤の配合を示す配合情報を取得する栄養補助剤配合取得部と、配合情報を基に栄養補助剤を配合する栄養補助剤配合部を備えることを特徴とする栄養補助剤配合装置を提供する。
【００４８】
顧客認証入力部は、顧客識別情報を記録した記録媒体を用いて顧客識別情報を外部から取得してもよい。
【００４９】
また、配合情報に基づく栄養補助剤の製造依頼を対象者から受信する製造依頼受信部を更に備え、製造依頼受信部は、対象者が製造依頼を受信した場合に、栄養補助剤配合部に栄養補助剤の配合を行わせてもよい。
【００５０】
また、栄養補助剤配合取得部は、対象者が指定した味付けを示す情報を外部から取得し、栄養補助剤配合部は、味付けを示す情報に基づき味付けを調整する成分を栄養補助剤に添加してもよい。
【００５１】
また、栄養補助剤配合取得部は、対象者が指定した色を示す情報を外部から取得し、栄養補助剤配合部は、色を示す情報に基づき色を調整する成分を栄養補助剤に添加してもよい。
【００５２】
また、栄養補助剤配合取得部は、対象者が指定した香りを示す情報を外部から取得し、栄養補助剤配合部は、香りを示す情報に基づき香りを調整する成分を栄養補助剤に添加してもよい。
【００５３】
また、栄養補助剤配合取得部は、対象者が指定した形状を示す情報を外部から取得し、栄養補助剤配合部は、形状を示す情報に基づき栄養補助剤の形状を選択してもよい。
【００５４】
本発明の第８の形態によれば、対象者の栄養状態を診断した結果に基づき栄養補助剤を配合する栄養補助剤配合装置であって、対象者に問診項目を提示し問診回答を得る問診処理部と、問診回答を用いて、対象者に対応する栄養補助剤の配合を示す配合情報を外部から取得する栄養補助剤配合取得部と、配合情報に基づき栄養補助剤を配合する栄養補助剤配合部を備えることを特徴とする栄養補助剤配合装置を提供する。
【００５５】
対象者を識別する顧客識別情報を外部から取得する顧客認証入力部をさらに備え、栄養補助剤販売装置の外部の対象者に対応する問診回答情報を、顧客識別情報及び問診回答を用いて更新してもよい。
【００５６】
また、配合情報に基づく栄養補助剤の製造依頼を対象者から受信する製造依頼受信部を更に備え、製造依頼受信部は、対象者が製造依頼を受信した場合に、栄養補助剤配合部に栄養補助剤の配合を行わせてもよい。
【００５７】
また、栄養補助剤配合取得部は、対象者が指定した味付けを示す情報を外部から取得し、栄養補助剤配合部は、味付けを示す情報に基づき味付けを調整する成分を栄養補助剤に添加してもよい。
【００５８】
栄養補助剤配合取得部は、対象者が指定した色を示す情報を外部から取得し、栄養補助剤配合部は、色を示す情報に基づき色を調整する成分を栄養補助剤に添加してもよい。
【００５９】
栄養補助剤配合取得部は、対象者が指定した香りを示す情報を外部から取得し、栄養補助剤配合部は、香りを示す情報に基づき香りを調整する成分を栄養補助剤に添加してもよい。
【００６０】
栄養補助剤配合取得部は、対象者が指定した形状を示す情報を外部から取得し、栄養補助剤配合部は、形状を示す情報に基づき栄養補助剤の形状を選択してもよい。
【００６１】
本発明の第９の形態によれば、問診回答から対象者の栄養状態を診断し、診断結果に基づき栄養補助剤を配合する栄養補助剤配合システムであって、問診回答から対象者の栄養状態を診断し栄養補助剤の配合を提案する栄養補助剤提案装置と、栄養補助剤提案装置が提案した栄養補助剤を配合する栄養補助剤配合装置を備え、栄養補助剤提案装置は、問診項目に対する対象者の問診回答を外部から取得し、対象者の栄養要求量を算出する栄養要求量算出部と、栄養要求量算出部による対象者の栄養要求量の情報を基に、栄養補助剤の配合を提案する栄養補助剤提案部を有することを特徴とする栄養補助剤配合システムを提供する。
【００６２】
本発明の第１０の形態によれば、対象者の栄養状態を診断した結果に基づき栄養補助剤を配合する栄養補助剤配合装置であって、対象者に問診項目を提示し問診回答を得る問診処理部と、問診回答から対象者の栄養要求量を算出する栄養要求量算出部と、対象者の栄養要求量を基に、栄養補助剤の配合を提案する栄養補助剤提案部と、栄養補助剤の配合に基づき栄養補助剤を配合する栄養補助剤配合部を備えることを特徴とする栄養補助剤配合装置を提供する。
【００６３】
また、配合情報に基づく栄養補助剤の製造依頼を対象者から受信する製造依頼受信部を更に備え、製造依頼受信部は、対象者が製造依頼を受信した場合に、栄養補助剤配合部に栄養補助剤の配合を行わせてもよい。
【００６４】
本発明の第１１の形態によれば、対象者の栄養状態を診断した結果に基づき栄養補助剤を配合する栄養補助剤配合装置であって、対象者に対応する栄養補助剤の配合を示す配合情報を記録した携帯可能な記録媒体から、配合情報を取得する栄養補助剤配合取得部と、配合情報に基づき栄養補助剤を配合する栄養補助剤配合部を備えることを特徴とする栄養補助剤配合装置を提供する。
【図面の簡単な説明】
【００６５】
【図１】本発明の実施の形態にかかる栄養補助剤配合システムを含むクライアント／サーバ型計算機システムを示す図である。
【図２】本実施の実施の形態にかかる栄養補助剤配合システム１００２の一例を示す図である。
【図３】本発明の実施の形態にかかる栄養補助剤製造フローを示すフローチャートである。
【図４】本発明の実施の形態にかかる個人情報データベース１２００の一例を示す表である。
【図５】本発明の実施の形態にかかる問診項目データベース１２１０の一例を示す表である。
【図６】本発明の実施の形態にかかる問診履歴データベース１２３０の一例を示す表である。
【図７】本発明の実施の形態にかかる生活環境データベース１２５０の一例を示す表である。
【図８】本発明の実施の形態にかかる問診回答データベース１２２０の一例を示す表である。
【図９】本発明の実施の形態にかかる栄養素データベース１２４０の一例を示す表である。
【図１０】本発明の実施の形態にかかる栄養素データベース１２６０の一例を示す表である。
【図１１】本発明の実施の形態にかかる推定病名データベース１２８０の一例を示す表である。
【図１２】本発明の実施の形態にかかる医療機関データベース１２９０の一例を示す表である。
【図１３】本発明の実施の形態にかかる相関データベース１２７０の一例を示す表である。
【図１４】本発明の実施の形態にかかる問診処理部１０２０における問診処理を示すフローチャートである。
【図１５】本発明の実施の形態にかかる栄養量処理部１０５０における総合栄養素処理、相互作用処理及び目的別栄養素処理を示すフローチャートである。
【図１６】本発明の実施の形態にかかる栄養量処理部１０５０における抑制処理を示すフローチャートである。
【図１７】本発明の実施の形態にかかる相関処理部１０４０における相関処理を示すフローチャートである。
【図１８】本発明の実施の形態にかかる栄養補助剤配合システム１００２のハードウェア構成の一例を示す図である。
【図１９】本発明の実施の形態の変形例にかかる栄養補助剤配合システム１００２の一例を示す図である。
【図２０】本発明の実施の形態の変形例にかかる栄養補助剤配合装置１９１０の一例を示す図である。
【図２１】本発明の実施の形態の変形例にかかる栄養補助剤提案装置１９００の一例を示す図である。
【図２２】本発明の実施の形態の他の変形例にかかる栄養補助剤配合装置１９１０の一例を示す図である。
【発明を実施するための形態】
【００６６】
以下、図面を参照して本発明の実施の形態の一例を説明する。図１は、本実施の形態にかかる栄養補助剤配合システムを含むクライアント／サーバ型計算機システムを示す。本計算機システムは、端末１０００、ネットワーク１００１、及び栄養補助剤配合システム１００２を備える。
【００６７】
端末１０００は、対象者である顧客が栄養補助剤配合システム１００２をアクセスするために用いる端末である。ネットワーク１００１は、端末１０００と栄養補助剤配合システム１００２を接続する。ネットワーク１００１は、インターネット、ローカルエリアネットワーク、又は公衆電話網等のあらゆるネットワーク及びこれらの組み合わせであってよい。
【００６８】
栄養補助剤配合システム１００２は、端末１０００からネットワーク１００１を介してアクセスしてくる顧客に対し、顧客が必要とする栄養補助剤を製造するサービスを提供する。栄養補助剤配合システム１００２により製造された栄養補助剤は、例えば配送、店舗での受取り等の手段を用いて顧客へ届けられる。
【００６９】
図２は、本実施の形態にかかる栄養補助剤配合システム１００２の構成の一例を示す。本栄養補助剤配合システム１００２は、顧客認証部１０１０、問診処理部１０２０、環境検索部１０２５、栄養要求量算出部１０３０、栄養補助剤提案部１１３０、製造依頼入力部１１４０、栄養補助剤配合部１１５０、個人情報データベース１２００、問診項目データベース１２１０、問診履歴データベース１２３０、及び生活環境データベース１２５０を備える。
【００７０】
問診処理部１０２０は、本発明にかかる問診回答取得部及び問診処理部の一例である。環境検索部１０２５は、本発明にかかる生活環境検索部及び勤務先生活環境検索部の一例である。栄養要求量算出部１０３０は、本発明にかかる不足栄養素処理部、栄養要求量算出部の一例である。製造依頼入力部１１４０は、本発明にかかる製造依頼受信部の一例である。
【００７１】
顧客認証部１０１０は、端末１０００からネットワーク１００１を介してアクセスしてくる顧客の認証を、個人情報データベース１２００内の顧客ＩＤを用いて行う。そして、個人情報データベース１２００内の当該顧客の個人情報を取得し、問診処理部１０２０に送付する。
【００７２】
問診処理部１０２０は、顧客に対する問診項目を、問診項目データベース１２１０内の問診項目データ、問診履歴データベース１２３０内の問診履歴、及び相関データベース１２７０内の生活環境又は生活目標と栄養素の不足度の相関関係を基に選択し、ネットワーク１００１を介して端末１０００に送付する。また、ネットワークを介して端末１０００から問診回答を得て、顧客認証部１０１０から受けた個人情報と共に問診回答を環境検索部１０２５に送付する。
【００７３】
環境検索部１０２５は、問診処理部１０２０から受け取った顧客の個人情報に含まれる住所及び勤務先住所を用いて、これらの地域における生活環境を生活環境データベース１２５０から検索し、問診回答を補う。
【００７４】
そして、環境検索部１０２５は、問診処理部１０２０から受けた顧客の個人情報と共に、補った問診回答を栄養要求量算出部１０３０に送付する。
【００７５】
栄養要求量算出部１０３０は、環境検索部１０２５から受け取った顧客の個人情報及び問診回答と、問診履歴データベース１２３０内の問診履歴を基に、顧客が一日当たりに取得すべき栄養素の量を示す栄養要求量を算出する。そして、算出した栄養要求量を、環境検索部１０２５から受けた顧客の個人情報と共に栄養補助剤提案部１１３０に送付する。また、栄養要求量算出部１０３０は、問診の結果顧客が病気であると推定した場合には、推定病名及び推奨医療機関からなる診療推奨情報を栄養補助剤提案部１１３０に送付する。
【００７６】
栄養補助剤提案部１１３０は、栄養要求量算出部１０３０から受け取った栄養要求量に基づき、栄養補助剤の配合情報を生成する。この栄養補助剤の配合は、既製の栄養補助剤と、顧客向けに新たに配合を決定した栄養補助剤の組合せによる。そして、生成した配合情報を、栄養要求量算出部１０３０から受けた顧客の個人情報と共に製造依頼入力部１１４０に送付する。また、栄養補助剤提案部１１３０は、栄養要求量算出部１０３０から診療推奨情報を受けた場合には、この診療推奨情報を製造依頼入力部１１４０に送付する。
【００７７】
製造依頼入力部１１４０は、栄養補助剤提案部１１３０から受けた配合情報に基づく栄養補助剤の製造を、顧客が依頼するかを問い合わせる。すなわち、製造依頼入力部１１４０は、ネットワーク１００１を介して顧客の端末１０００に配合情報と、「この配合に基づく栄養補助剤の製造を、当社に依頼しますか？」等のメッセージを表示させる。そして、製造依頼入力部１１４０は、端末１０００を用いて、顧客に製造依頼の有無、及び製造依頼を行う場合に製造する栄養補助剤の量を入力させる。そして、製造依頼入力部１１４０は、顧客が製造依頼を行った場合、配合情報を栄養補助剤提案部１１３０から受けた顧客の個人情報と共に栄養補助剤配合部１１５０に送付する。また、製造依頼入力部１１４０は、栄養補助剤提案部１１３０から診療推奨情報を受けた場合、この診療推奨情報を顧客に通知する。すなわち、製造依頼入力部１１４０は、ネットワーク１００１を介して端末１０００に診療推奨情報を送付し、診療推奨情報を表示させる。
【００７８】
また、製造依頼入力部１１４０は、栄養補助剤提案部１１３０から受けた配合情報を、ネットワーク１００１を介して顧客の端末１０００に送付してもよい。これにより、端末１０００は、当該端末１０００上のハードディスク等の記録媒体、又は磁気カード、ＩＣカード、又はフラッシュメモリ等に配合情報を記録することができる。
【００７９】
栄養補助剤配合部１１５０は、製造依頼入力部１１４０から受けた配合情報に基づき、栄養補助剤を配合する。そして、製造依頼入力部１１４０から受けた顧客の個人情報を基に、配合した栄養補助剤の送付先を出力する。この送付先の出力は、例えば配送用の宛先ラベル、識別用のラベル等の種々の手段であってよい。
【００８０】
栄養要求量算出部１０３０は、栄養量処理部１０５０、診療推奨部１０６０、相関処理部１０４０、問診回答データベース１２２０、栄養素データベース１２４０、生活目標データベース１２６０、推定病名データベース１２８０、医療機関データベース１２９０、及び相関データベース１２７０を有する。
【００８１】
栄養量処理部１０５０は、環境検索部１０２５から受け取った顧客の個人情報及び問診回答を基に、顧客の栄養要求量を算出する。そして、算出した栄養要求量を、環境検索部１０２５から受けた顧客の個人情報と共に栄養補助剤提案部１１３０に送付する。
【００８２】
栄養量処理部１０５０は、総合栄養素処理部１０７０、相互作用処理部１０８０、目的別栄養処理部１０９０、及び抑制処理部１１００を含む。
【００８３】
顧客の栄養要求量の算出に先立ち、総合栄養素処理部１０７０は、環境検索部１０２５から受け取った問診回答及び問診履歴データベース１２３０内の問診履歴を用いて、栄養素の不足度を算出する。
【００８４】
問診回答データベース１２２０は、各問診回答に対応して、栄養素の不足度に加算すべき値を保持する。総合栄養素処理部１０７０は、栄養素の不足度の算出時に、問診回答データベース１２２０を検索して、各問診回答毎に加算すべき不足度を取得する。そして、総合栄養素処理部１０７０は、各問診回答毎に当該問診回答に対応する不足栄養素を累積していくことで、栄養素の不足度を算出する。
【００８５】
また、総合栄養素処理部１０７０は、栄養素の不足度の算出時に、問診履歴データベース１２３０内の問診履歴を参照する。すなわち、例えば、問診処理部１０２０が今回顧客に対して問診を行わなかった問診項目について、問診履歴データベース１２３０が保持する問診回答の履歴を基に問診回答を補い、栄養素の不足度算出を行う。
【００８６】
そして、総合栄養素処理部１０７０は、以上の処理により算出した栄養素の不足度を、問診履歴データベース１２３０に格納する。
【００８７】
次に、総合栄養素処理部１０７０、相互作用処理部１０８０、目的別栄養処理部１０９０、及び抑制処理部１１００は、総合栄養素処理部１０７０が算出した栄養素の不足度を基に、顧客の栄養要求量を算出する。
【００８８】
総合栄養素処理部１０７０は、総合栄養素処理部１０７０が算出した栄養素の不足度を、顧客の栄養素要求量の初期値とする。そして、総合栄養素処理部１０７０は、この栄養要求量に対して、例えば不足している栄養素の数に応じて全栄養素を加算する等総合的に栄養素を加算する処理を行う。
【００８９】
相互作用処理部１０８０は、総合栄養素処理部１０７０が算出した栄養要求量を、栄養素の相互作用に基づき調整する。相互作用とは、ある栄養素の摂取量が、他の栄養素の摂取量に影響を与える作用を示す。相互作用には、相乗効果及び拮抗作用の２種類が存在する。
【００９０】
相乗効果とは、ある栄養素を摂取することで、他の栄養素の吸収を助ける等の有用な働きを示す。例えば、福井透編著「薬剤師がすすめるビタミン・ミネラルの摂り方第２版」（丸善株式会社）ｐ．６８には、ビタミンＤはＣａ、リン、ビタミンＡの吸収を助けると記載されている。
【００９１】
拮抗作用とは、ある栄養素を過剰に摂取することで、他の栄養素が不足する等の働きを示す。例えば、福井透編著「薬剤師がすすめるビタミン・ミネラルの摂り方第２版」（丸善株式会社）ｐ．１２１には、リンはカルシウムと密接に関連し、欠乏や過剰が相互に影響すると記載されている。
【００９２】
相互作用処理部１０８０は、以上に示した様な相互作用に基づき、相互作用のある栄養素間のバランスを考慮し栄養要求量を調整する。
【００９３】
目的別栄養処理部１０９０は、相互作用処理部１０８０が調整した栄養要求量を、顧客が指定した生活目標に基づき調整する。生活目標とは、顧客が栄養補助剤配合システム１００２の使用を通じて実現したいと考えている栄養上の目標を示す。
【００９４】
生活目標データベース１２６０は、各生活目標毎に、各栄養素を加算する量を保持する。目的別栄養処理部１０９０は、栄養要求量の調整時に、生活目標データベース１２６０を検索し、生活目標に対応する栄養素とその加算量を取得する。
【００９５】
抑制処理部１１００は、目的別栄養処理部１０９０が調整した栄養要求量を、栄養素毎に予め定められた１日当たりの所要量又は許容上限摂取量等の制約情報に基づき調整する。本実施の形態において、１日当たりの所要量及び許容上限摂取量は、厚生労働省のデータ（科学技術庁資源調査会編、『ビジュアルワイド食品成分表  「「五訂日本食品標準成分表」準拠』（東京書籍）、ｐ．２８０−２８３等参照）に基づき定められる。栄養素データベース１２４０は、各栄養素毎に、当該栄養素の所要量及び許容上限摂取量を保持する。抑制処理部１１００は、栄養要求量の調整時に、栄養素データベース１２４０を検索し、各栄養素に対応する所要量及び許容上限摂取量を取得する。
【００９６】
以上に示した手順により、栄養量処理部１０５０は、総合栄養素処理部１０７０、相互作用処理部１０８０、目的別栄養処理部１０９０、及び抑制処理部１１００を用いて顧客の栄養要求量を算出する。抑制処理部１１００は、栄養補助剤配合部１１５０がこの栄養要求量に基づき栄養補助剤を製造した際に、問診履歴データベース１２３０に製造した栄養補助剤の栄養要求量を格納する。
【００９７】
診療推奨部１０６０は、問診の結果顧客が病気であると推定した場合に、診療推奨情報を栄養補助剤提案部１１３０に送付する。診療推奨部１０６０は、病名を推定する病名推定部１１１０及び医療機関を推奨する医療機関推奨部１１２０を含む。
【００９８】
病名推定部１１１０は、推定病名データベース１２８０が保持する情報に基づき病名を推定する。推定病名データベース１２８０は、問診回答及び栄養状態の条件を示す推定条件、推定条件が満たされた場合に推定される病名である推定病名、及び推定した病気を診療できる診療科を保持する。
【００９９】
医療機関推奨部１１２０は、医療機関データベース１２９０が保持する情報に基づき医療機関を推奨する。医療機関データベース１２９０は、医療機関名、診療科、住所及び連絡先を保持する。医療機関推奨部１１２０は、顧客の個人情報に含まれる顧客の住所及び病名推定部１１１０が出力する診療科をキーとして医療機関データベース１２９０を検索し、顧客の近所にあり、当該診療科を持つ医療機関を取得する。
【０１００】
相関処理部１０４０は、生活環境又は生活目標と栄養素の不足度の相関関係を解析し、相関データベース１２７０に格納する。本実施の形態において、相関処理部１０４０が対象とする生活環境は、問診履歴データベース１２３０が問診回答として保持する顧客の食事内容等の食生活、問診履歴データベース１２３０が問診回答として保持する顧客のストレス度、飲酒、喫煙、又は運動量等の健康生活、及び個人情報データベース１２００の住所及び勤務先住所、又は問診履歴データベース１２３０が問診回答として保持する顧客の住環境を含む。
【０１０１】
図３は、本実施の形態にかかる栄養補助剤配合システム１００２を用いた栄養補助剤製造フローを示す。本実施の形態にかかる栄養補助剤配合システム１００２は、５つの段階を用いて顧客の栄養状態改善をサポートする。まず、顧客認証部１０１０は、新規顧客の追加時に顧客ＩＤを割り当て、顧客の個人情報を個人情報データベース１２００に登録する。この後、問診処理部１０２０は、ネットワーク１００１及び端末１０００を介して、新規顧客に対して第１段階の問診を行う（Ｓ２００）。
【０１０２】
次に、第１段階の問診結果に基づき、第１段階の栄養補助剤製造を行う（Ｓ２０５）。栄養補助剤製造においては、栄養量処理部１０５０が顧客の問診結果に基づき栄養要求量を算出し、栄養補助剤提案部１１３０がこの栄養要求量に基づき栄養補助剤の配合を提案し、製造依頼入力部１１４０がこの配合に基づく栄養補助剤の製造依頼を顧客から受取り、栄養補助剤配合部１１５０が顧客に対する栄養補助剤を配合する。
【０１０３】
第１段階は、栄養素を総合的に補う栄養補助剤の配合を目的としている。このため、目的別栄養処理部１０９０は、顧客の生活目標に応じた栄養要求量の調整を行わない。すなわち、栄養量処理部１０５０は、総合栄養素処理部１０７０、相互作用処理部１０８０、及び抑制処理部１１００を用いて栄養要求量を算出する。これにより、栄養補助剤提案部１１３０は、総合栄養素処理部１０７０、相互作用処理部１０８０、抑制処理部１１００により算出された栄養要求量を用いて、栄養素を総合的に補給する栄養補助剤の配合を提案できる。
【０１０４】
次に、問診処理部１０２０は、ネットワーク１００１及び端末１０００を介して、顧客に対して第２段階の問診を行う（Ｓ２１０）。
【０１０５】
次に、栄養量処理部１０５０は、顧客の栄養状態のチェックを行う（Ｓ２１５）。本チェックにおいて、栄養量処理部１０５０は、総合栄養素処理部１０７０が問診結果を用いて算出した栄養素の不足度に基づき、顧客の栄養状態を判定する。栄養状態は、例えば本栄養補助剤配合システム１００２で扱う栄養素のうち、１００％の不足度を越える栄養素数が５割以上である場合に不良であると判定される。また、栄養状態は、例えば「前回の栄養補助剤を摂取しましたか？」の問診回答が"Ｎｏ"であるかどうかを判定条件に含めてもよい。
【０１０６】
栄養量処理部１０５０は、判定結果が不良な場合、第１段階の栄養補助剤製造（Ｓ２０５）に処理を進める。次に、第２段階の問診結果に基づき、第２段階の栄養補助剤製造を行う（Ｓ２２０）。
【０１０７】
第２段階は、不足している栄養素を重点的に補う栄養補助剤の配合を目的としている。このため、目的別栄養処理部１０９０は、第１段階と同様に、顧客の生活目標に応じた栄養要求量の調整を行わない。また、総合栄養素処理部１０７０において栄養要求量に全栄養素を総合的に加算する量、相互作用処理部１０８０により栄養要求量を調整する量を第１段階と比較し低減する。さらに、抑制処理部１１００により、不足していない栄養素に対する栄養要求量上限を第１段階と比較し低減する。
【０１０８】
次に、問診処理部１０２０は、ネットワーク１００１及び端末１０００を介して、顧客に対して第３段階の問診を行う（Ｓ２２５）。
【０１０９】
次に、栄養量処理部１０５０は、顧客の栄養状態のチェックを行う（Ｓ２３０）。本チェックにおいて、栄養量処理部１０５０は、総合栄養素処理部１０７０が問診結果を用いて算出した栄養の不足度に基づき、第２段階と同様に顧客の栄養状態を判定する。栄養量処理部１０５０は、判定結果が不良な場合、第２段階の栄養補助剤製造（Ｓ２２０）に処理を進める。
【０１１０】
次に、第３段階の問診結果に基づき、第３段階の栄養補助剤製造を行う（Ｓ２３５）。第３段階は、第１段階及び第２段階を経て栄養素が総合的に充足した顧客に対し、生活目標に応じた栄養素を重点的に補う栄養補助剤を配合することを目的としている。
【０１１１】
このため、目的別栄養処理部１０９０は、顧客の生活目標に応じて栄養要求量の調整を行う。また、総合栄養素処理部１０７０において栄養要求量に全栄養素を総合的に加算する量、相互作用処理部１０８０により栄養要求量を調整する量を第２段階と比較し低減する。さらに、抑制処理部１１００により、不足していない栄養素に対する栄養要求量上限を第２段階と比較し低減する。
【０１１２】
次に、問診処理部１０２０は、ネットワーク１００１及び端末１０００を介して、顧客に対して第４段階の問診を行う（Ｓ２４０）。第４段階では、問診処理部１０２０は、これまでに問診履歴データベース１２３０に蓄積したデータを基に、顧客にとって不足しやすい栄養素の原因を追求できる問診項目を生成する。
【０１１３】
次に、栄養量処理部１０５０は、顧客の栄養状態のチェックを行う（Ｓ２４５）。本チェックにおいて、栄養量処理部１０５０は、総合栄養素処理部１０７０が問診結果を用いて算出した栄養の不足度に基づき、第２段階と同様に顧客の栄養状態を判定する。
【０１１４】
栄養量処理部１０５０は、判定結果が不良な場合、第３段階の栄養補助剤製造（Ｓ２３５）に処理を進める。また、栄養量処理部１０５０は、判定結果が良好、生活目標を達成、かつ生活目標を変更する場合、第５段階の問診（Ｓ２５５）に処理を進める。
【０１１５】
次に、第４段階の問診結果に基づき、第４段階の栄養補助剤製造を行う（Ｓ２５０）。第４段階は、生活目標の達成に必要な栄養素及び顧客にとって不足しやすい栄養素を重点的に補う栄養補助剤を配合することを目的としている。
【０１１６】
このため、目的別栄養処理部１０９０は、顧客の生活目標に応じて栄養要求量の調整を行う。また、総合栄養素処理部１０７０において栄養要求量に全栄養素を総合的に加算する処理、相互作用処理部１０８０により栄養要求量を調整する処理は行わない。
【０１１７】
次に、問診処理部１０２０は、ネットワーク１００１及び端末１０００を介して、顧客に対して第５段階の問診を行う（Ｓ２５５）。第５段階では、問診処理部１０２０は、各問診項目毎に定められた間隔で問診項目を生成する。
【０１１８】
次に、栄養量処理部１０５０は、顧客の栄養状態のチェックを行う（Ｓ２６０）。本チェックにおいて、栄養量処理部１０５０は、総合栄養素処理部１０７０が問診結果を用いて算出した栄養の不足度に基づき、第２段階と同様に顧客の栄養状態を判定する。
【０１１９】
栄養量処理部１０５０は、判定結果が不良な場合、第３段階の栄養補助剤製造（Ｓ２３５）に処理を進める。
【０１２０】
次に、第５段階の問診結果に基づき、第５段階の栄養補助剤製造を行う（Ｓ２６５）。第５段階は、第４段階と同様、生活目標の達成に必要な栄養素及び顧客にとって不足しやすい栄養素を補う栄養補助剤を配合すること、及び、顧客の栄養状態を総合的に判断するための問診を各問診項目毎に定められた間隔で行うことを目的としている。
【０１２１】
このため、目的別栄養処理部１０９０は、顧客の生活目標に応じて栄養要求量の調整を行う。また、総合栄養素処理部１０７０において栄養要求量に全栄養素を総合的に加算する処理、相互作用処理部１０８０により栄養要求量を調整する処理は行わない。
【０１２２】
第５段階の栄養補助剤製造（Ｓ２６５）を終えると、栄養量処理部１０５０は、第５段階の問診（Ｓ２５５）に処理を進める。
【０１２３】
個人情報データベース１２００は、以上に示した処理の実現に必要となる段階を示す値を、顧客毎に保持する。また、栄養量処理部１０５０は、処理中の顧客の段階が変わる度に個人情報データベース１２００の当該顧客の段階を示す値を更新する。
【０１２４】
これにより、栄養補助剤配合システム１００２は、例えば顧客が初めてアクセスした際に第１段階の問診を行って栄養補助剤を２週間分製造し（Ｓ２００、Ｓ２０５）、顧客が次回にアクセスした際に第２段階の問診を行って栄養補助剤を２週間分製造する（Ｓ２１０、Ｓ２１５、Ｓ２２０）という様に、複数回の顧客のアクセスを通じて本栄養補助剤製造フローを提供できる。
【０１２５】
以上の処理により、最初は顧客の栄養素を総合的に補う栄養補助剤を提案し、徐々に生活目標の達成に必要な栄養素及び顧客にとって不足しやすい栄養素を補う栄養補助剤の提案に重点を移していく栄養補助剤配合システム１００２を実現できる。
【０１２６】
図４は、本実施の形態にかかる個人情報データベース１２００の一例を示す表である。本実施の形態における個人情報データベース１２００は、顧客ＩＤ、氏名、生年月日、性別、住所、勤務先住所、生活目標、栄養補助剤嗜好、及び現在の段階を顧客毎に保持する。個人情報データベース１２００は、この他例えば顧客の認証パスワード、電話番号又はメールアドレス等の連絡先、口座番号又はクレジットカード番号等の決済方法等の種々の個人情報を保持してもよい。
【０１２７】
本実施の形態では、個人情報データベース１２００に保持される生活目標は、"０"が生活目標無し、"１"が免疫力向上、"２"が乾燥肌対策、"３"が肌荒れ対策のいずれかの値となる生活目標ＩＤを用いて識別されるものとする。個人情報データベース１２００は、これに代えて、例えばビットマップを用いて複数の生活目標を同時に指定可能としてもよい。
【０１２８】
本実施の形態では、個人情報データベース１２００は、栄養補助剤嗜好として、栄養補助剤の色、味、香り、及びパッケージ方法を保持する。
【０１２９】
栄養補助剤の色については、"０"は無着色、"１"は黄色系、"２"は赤色系のいずれかの値となる栄養補助剤色ＩＤを用いて識別されるものとする。栄養補助剤提案部１１３０は、指定された色に基づき、栄養補助剤の配合に色素を加える。すなわち、栄養補助剤の色として"１"の黄色系が指定された場合、例えばカロチノイド又はクチナシ等の色素を栄養補助剤の配合に加える。また、栄養補助剤の色として"２"の赤色系が指定された場合、例えば赤キャベツ、紅麹色素、又はリコピン等の色素を栄養補助剤の配合に加える。栄養補助剤の色としては、この他の色素を用いることで、種々の色を実現できる。
【０１３０】
栄養補助剤の味については、"０"は無調整、"１"はノンカロリーシュガーによる甘味付け、"２"はアスパルテームを用いた後味の良い甘味付け、"３"はオリゴ糖を用い整腸作用を付加した甘味付けのいずれかの値となる栄養補助剤味ＩＤを用いて識別されるものとする。栄養補助剤提案部１１３０は、指定された味に基づき、栄養補助剤の配合に調味料を加える。栄養補助剤の味としては、この他の調味料を用いることで、種々の味を実現できる。
【０１３１】
栄養補助剤の香りについては、"０"は無調整、"１"はバニラフレーバーのいずれかの値となる栄養補助剤香ＩＤを用いて識別される。栄養補助剤提案部１１３０は、指定された香りに基づき、栄養補助剤の配合に香りを加える。栄養補助剤の香りとしては、この他の香料を用いることで、種々の香りを実現できる。
【０１３２】
栄養補助剤のパッケージ方法は、栄養補助剤の形や大きさ等の形状を指定するものであり、"０"は無指定、"１"は液状、"２"は錠剤、"３"はソフトカプセル、"４"は小型カプセルに分割、"５"は顆粒のいずれかの値となる栄養補助剤パッケージＩＤを用いて識別される。栄養補助剤提案部１１３０は、指定されたパッケージ方法に基づき、栄養補助剤のパッケージ方法を選択する。栄養補助剤のパッケージ方法としては、この他種々の方法が適用可能である。
【０１３３】
以上に示した様に、栄養補助剤の色、味、香り、及びパッケージ方法を指定可能としたことで、栄養補助剤配合システム１００２は顧客の嗜好に適合する栄養補助剤を提案できる。
【０１３４】
図５は本実施の形態にかかる問診項目データベース１２１０の一例を示す表である。本実施の形態における問診項目データベース１２１０は、問診ＩＤ、問診メッセージ、回答別分岐先、段階別問診指定、生活目標別問診指定、問診間隔、及び不足栄養素別問診指定を、問診項目毎に保持する。
【０１３５】
問診ＩＤは、問診項目を識別する識別子を示す。問診メッセージは、問診ＩＤで指定される問診項目で顧客に質問する問診内容を示す。本実施の形態における問診処理部１０２０は、問診メッセージに"〔数値〕"と記載されている問診項目は数値による回答を、それ以外は「Ｙｅｓ」（図中"Ｙ"）、「どちらかと言えばＹｅｓ」（図中"ＮＹ"）、又は「Ｎｏ」（図中"Ｎ"）の三者択一による回答を顧客に要求する。
【０１３６】
回答別分岐先は、次に問診する問診項目の問診ＩＤを、問診回答毎に指定する。問診回答は、問診メッセージに"〔数値〕"と記載されている問診ＩＤ１００３、１００４を除き、"Ｙ"、"ＮＹ"、又は"Ｎ"の三者択一となる。回答別分岐先は、これらの問診回答に応じて次に問診する問診項目の問診ＩＤを指定する。
【０１３７】
ここで、回答別分岐先が"０"の場合、次の行の問診項目が選択される。また、回答別分岐先が"９９９９"の場合、問診の完了が選択される。
【０１３８】
段階別問診指定は、顧客の段階に応じて当該問診項目を問診するかどうかを指定する。例えば、問診ＩＤ１０００は、第１段階、第２段階、第３段階、及び第５段階で問診する様設定されている。
【０１３９】
生活目標別問診指定は、顧客の生活目標に応じて当該問診項目を問診するかどうかを指定する。例えば、問診ＩＤ１０００は、生活目標が"１"、"２"、"及び"３"の全てについて問診する様設定されている。
【０１４０】
問診間隔は、当該問診項目の問診を行う間隔を指定する。例えば、問診ＩＤ１０００は、１週間毎に問診を行う様設定されている。また、問診ＩＤ２０００は、問診処理の度に問診を行う様設定されている。
【０１４１】
不足栄養素別問診指定は、以前の問診結果による栄養の不足度が、指定された栄養素の不足を示している場合に、当該問診項目を問診することを指定する。本実施の形態において、栄養素には１〜２１の値を持つ識別子である栄養素ＩＤが付加されている。本実施の形態において、栄養素ＩＤは、ビタミンＡが"１"、ビタミンＤが"２"、ビタミンＥが"３"、ビタミンＫが"４"、ビタミンＢ１が"５"、ビタミンＢ２が"６"、ナイアシンが"７"、パントテン酸が"８"、ビタミンＢ６が"９"、ビタミンＢ１２が"１０"、葉酸が"１１"、ビオチンが"１２"、ビタミンＣが"１３"、ビタミンＰが"１４"、鉄が"１５"、亜鉛が"１６"、セレンが"１７"、クロムが"１８"、ヨウ素が"１９"、カルシウムが"２０"、マグネシウムが"２１"に割り当てられている。不足栄養素別問診指定が、全栄養素についてチェックされていない場合、当該問診項目は栄養素の不足度に関係なく問診する項目であることを示す。
【０１４２】
図６は、本実施の形態にかかる問診履歴データベース１２３０の一例を示す表である。本実施の形態にかかる問診履歴データベース１２３０は、顧客ＩＤ、登録日、履歴種類、問診ＩＤ／栄養素ＩＤ、問診回答／不足度／栄養要求量を保持する。
【０１４３】
問診履歴データベース１２３０に格納されるデータは、問診回答、問診回答に基づく栄養素の不足度、及び顧客の製造依頼に従い製造した栄養補助剤の配合を示す情報である。
【０１４４】
問診回答は、履歴種類が"問診"で指定される行である。各行は、顧客ＩＤ、登録日、問診ＩＤ、及び当該問診ＩＤの問診項目に対する問診回答からなる。例えば、図６に示した表の１行目の場合、顧客ＩＤ００１で指定される顧客が、１９９９年１月１日に、問診ＩＤ１０００の問診項目に対して、"Ｙ"すなわち「Ｙｅｓ」と回答したことを示す。
【０１４５】
栄養素の不足度は、履歴種類が"不足度"で指定される行である。各行は、顧客ＩＤ、登録日、栄養素ＩＤ，及び当該栄養素ＩＤの栄養素の不足度からなる。例えば、図６に示した表において、履歴種類が"不足度"である行は、１９９９年１月１日に、顧客ＩＤ００１で指定される顧客について、栄養素ＩＤ１である栄養素（ビタミンＡ）の不足度が１日当たりの所要量の１３３％である２４００ＩＵであったことを示す。
【０１４６】
栄養補助剤の配合を示す情報は、履歴種類が"製造"で指定される行である。各行は、顧客ＩＤ、登録日、栄養素ＩＤ、及び栄養要求量からなる。例えば、図６に示した表において、履歴種類が"製造"である行は、１９９９年１月１日に、顧客ＩＤ００１で指定される顧客について、栄養素ＩＤ１である栄養素（ビタミンＡ）の栄養要求量が１８００ＩＵであり、このデータに基づき栄養補助剤を製造したことを示す。
【０１４７】
図７は、本実施の形態にかかる生活環境データベース１２５０の一例を示す表である。本実施の形態にかかる生活環境データベース１２５０は、住所、問診ＩＤ、及び問診回答を保持する。
【０１４８】
環境検索部１０２５は、問診処理部１０２０から受け取った問診回答を栄養要求量算出部１０３０に送付する際に、顧客の個人情報に含まれる住所及び勤務先住所を用いて生活環境データベース１２５０を検索し、問診回答を補う。例えば、図４の個人情報データベース１２００に登録されている顧客ＩＤ００１の顧客の場合、住所が埼玉県、勤務先住所が東京都新宿区である。環境検索部１０２５は、この住所及び勤務先住所に基づき、生活環境データベース１２５０を検索し、問診ＩＤ１０００すなわち図５の問診項目データベースにおける「大気汚染の影響を受けていますか？」に対し、住所が"ＮＹ"、勤務先住所が"Ｙ"の問診回答を得る。環境検索部１０２５は、これらの問診回答から、より栄養素の不足を生じ得る問診回答である"Ｙ"を選択し、問診ＩＤ１０００の問診回答を"Ｙ"に変更する。
【０１４９】
以上の作業により、環境検索部１０２５は、住所及び勤務先住所を用いて生活環境データベース１２５０内の生活環境情報を基に問診回答を補うことができる。
【０１５０】
環境検索部１０２５は、以上の処理に代えて、住所の問診回答と勤務先住所の問診回答の平均を問診回答としてもよい。また、生活環境データベース１２５０は、各住所の大気汚染度を示す数値を持ち、環境検索部１０２５は大気汚染度を示す数値から計算により問診回答を得てもよい。
【０１５１】
図８は、本実施の形態にかかる問診回答データベース１２２０の一例を示す表である。本実施の形態にかかる問診回答データベース１２２０は、問診ＩＤと、当該問診ＩＤに対応する各栄養素の不足度を保持する。
【０１５２】
本実施の形態において、栄養素の不足度は、問診回答が「Ｙｅｓ」の場合の不足度を、各栄養素毎に定められた１日当たりの所要量に対する割合として保持する。また、本実施の形態においては、問診回答が「どちらかと言うとＹｅｓ」の場合の不足度は、問診回答が「Ｙｅｓ」の場合の１／２とする。
【０１５３】
例えば、図８の１行目は、問診ＩＤ１０００の「大気汚染の影響を受けていますか？」に対する栄養素の不足度を保持する。総合栄養素処理部１０７０は、この問診項目に顧客が「Ｙｅｓ」と回答した場合、ビタミンＡの不足度を１日当たりの所要量の３０％分増加させる。また、総合栄養素処理部は、この問診項目に顧客が「どちらかと言うとＹｅｓ」と回答した場合、ビタミンＡの不足度を１日当たりの所要量の１５％分増加させる。
【０１５４】
図９は、本実施の形態にかかる栄養素データベース１２４０の一例を示す表である。本実施の形態にかかる栄養素データベース１２４０は、性別、年齢、栄養素ＩＤ、所要量、及び許容上限摂取量を保持する。
【０１５５】
例えば、図９の１行目は、１８〜２９歳の女性の場合、栄養素ＩＤ１すなわちビタミンＡは１日当たりの所要量が１８００ＩＵ（ＩＵ：国際単位）、１日当たりの許容上限摂取量は５０００ＩＵであることを示す。
【０１５６】
図１０は、本実施の形態にかかる生活目標データベース１２６０の一例を示す表である。本実施の形態にかかる生活目標データベース１２６０は、生活目標ＩＤと、当該生活目標ＩＤに対応する各栄養素の追加量を保持する。
【０１５７】
各栄養素の追加量は、１日当たりの栄養素所要量に対する比率を用いて示される。例えば、生活目標ＩＤ３すなわち肌荒れ対策の場合、栄養素ＩＤ１（ビタミンＡ）が１日当たりのビタミンＡ所要量の１００％、栄養素ＩＤ２（ビタミンＤ）が１日当たりのビタミンＤ所要量の０％、栄養素ＩＤ２０（カルシウム）が１日当たりのカルシウム所要量の１００％、栄養素ＩＤ２１（マグネシウム）が１日当たりのマグネシウム所要量の１００％を追加することを示す。
【０１５８】
図１１は、本実施の形態にかかる推定病名データベース１２８０の一例を示す表である。本実施の形態にかかる推定病名データベース１２８０は、問診回答及び栄養状態からなる推定条件、推定病名及び診療科を示す情報を保持する。
【０１５９】
病名推定部１１１０は、推定病名データベース１２８０内の推定条件が満たされた場合に、推定条件が満たされた行の推定病名を出力する。例えば、図１１の１行目は、「問診ＩＤ３１０９『めまいがしますか？』の回答が『Ｙｅｓ』、問診ＩＤ４０００『前回の栄養補助剤を摂取しましたか？』の回答が『Ｙｅｓ』、かつ、問診履歴データベース１２３０内に格納されている栄養素の不足度に関して、栄養素ＩＤ５（ビタミンＢ１）、栄養素ＩＤ６（ビタミンＢ２）、栄養素ＩＤ７（ナイアシン）、栄養素ＩＤ８（パントテン酸）、及び栄養素ＩＤ１５（鉄）が充足している」という推定条件である。病名推定部１１１０は、顧客の問診回答及び問診履歴データベース１２３０の内容に基づき本推定条件の成立／非成立を判断し、本推定条件を満たした場合に『真性めまい』であると判断する。また、この際、病名推定部１１１０は、診療科として『真性めまい』を診療できる耳鼻科、又は神経内科を得る。
【０１６０】
図１２は、本実施の形態にかかる医療機関データベース１２９０の一例を示す表である。本実施の形態にかかる医療機関データベース１２９０は、医療機関名、診療科、住所、連絡先を示す情報を保持する。
【０１６１】
医療機関推奨部１１２０は、顧客の住所及び病名推定部１１１０が出力する診療科をキーとして医療機関データベース１２９０を検索する。そして、医療機関推奨部１１２０は、当該住所の近隣かつ推定病名を診療可能な医療機関を取得する。
【０１６２】
図１３は、本実施の形態にかかる相関データベース１２７０の一例を示す表である。本実施の形態にかかる相関データベース１２７０は、相関ＩＤ、当該相関ＩＤに対応する条件、及び不足栄養素を保持する。
【０１６３】
相関処理部１０４０は、個人情報データベース１２００及び／又は問診履歴データベース１２３０内のデータに基づき、生活環境又は生活目標に関する条件と栄養素の不足度との相関関係を解析する。そして、相関処理部１０４０は、解析の結果条件と栄養素の不足度との間に相関関係が存在した場合に、新しく割り当てた相関ＩＤ、条件、及び不足している栄養素の組を相関データベース１２７０に登録する。
【０１６４】
図１４は、問診処理部１０２０における問診処理を示すフローチャートである。問診処理部１０２０は、先頭の問診項目である問診ＩＤ１０００から問診を開始する。
【０１６５】
まず、問診処理部１０２０は、問診項目データベース１２１０から処理する問診ＩＤに対応する行のデータを取得する（Ｓ５００）。
【０１６６】
次に、問診処理部１０２０は、処理する問診ＩＤに対応する問診項目の問診を行うかどうかを判定する（Ｓ５１０）。すなわち、問診処理部１０２０は、段階別問診指定、生活目標別問診指定、問診間隔、不足栄養素別問診指定、及び相関データベース１２７０内の相関関係の各条件を判定し、問診の要否を判定する。
【０１６７】
問診処理部１０２０は、相関関係による問診要否の判定において、個人情報及び問診履歴データベース１２３０内の顧客に関するデータが、相関データベース１２７０内に登録されている条件に合致する行を抽出する。そして、問診処理部１０２０は、この行に保持されている不足栄養素が処理中の顧客についても不足しているものと見なし、不足栄養素別問診指定の条件を判定する。
【０１６８】
次に、問診処理部１０２０は、Ｓ５１０で問診不要と判定した場合、Ｓ５５０に処理を進める（Ｓ５２０）。次に、問診処理部１０２０は、ネットワーク１００１を介して顧客の端末１０００に問診メッセージ及び回答欄を表示させる（Ｓ５３０）。次に、問診処理部１０２０は、ネットワーク１００１を介して顧客の端末１０００から問診回答を取得する（Ｓ５４０）。
【０１６９】
次に、問診処理部１０２０は、現在処理中の問診項目における回答別分岐先から、問診回答に対応する分岐先の問診ＩＤを取得する（Ｓ５５０）。次に、問診処理部１０２０は、分岐先の問診ＩＤが"０"かどうかをチェックする（Ｓ５６０）。分岐先の問診ＩＤが"０"の場合、問診処理部１０２０は次の行の問診項目に処理を移行し（Ｓ５８０）、Ｓ５００に進む。
【０１７０】
次に、問診処理部１０２０は、分岐先の問診ＩＤが"９９９９"かどうかをチェックする（Ｓ５７０）。分岐先の問診ＩＤが"９９９９"で無い場合、問診処理部１０２０は分岐先の問診ＩＤで指定される問診項目に処理を移行し（Ｓ５９０）、Ｓ５００に進む。分岐先の問診ＩＤが"９９９９"の場合、問診処理部１０２０は問診処理を終了する。
【０１７１】
以上の処理により、問診回答に応じて異なる問診項目を用いた問診が可能となる。例えば、図５において顧客が問診ＩＤ２００２に「Ｙｅｓ」と回答した場合、問診処理部１０２０は、問診ＩＤ２００３、問診ＩＤ３０００の順に処理を進める。顧客が問診ＩＤ２００２に「どちらかと言うとＹｅｓ」又は「Ｎｏ」と回答した場合、問診処理部１０２０は、問診ＩＤ２１００、問診ＩＤ２１０４、問診ＩＤ３０００の順に処理を進める。また、例えば、顧客が問診ＩＤ３０００に「Ｎｏ］と回答した場合、問診処理部１０２０は問診ＩＤ３１００、問診ＩＤ３１０８、問診ＩＤ３１０９の問診を行わずに問診ＩＤ４０００に処理を進める。
【０１７２】
また、問診処理部１０２０は、Ｓ５１０において相関関係に基づき問診有無を判定することにより、相関関係に基づき統計上不足しがちな栄養素に関する問診項目について顧客の問診回答を得ることができる。
【０１７３】
図１５は、本実施の形態にかかる栄養量処理部１０５０における総合栄養素処理、相互作用処理及び目的別栄養素処理を示すフローチャートである。総合栄養素処理部１０７０は、顧客の栄養要求量の算出に先立ち、問診回答に基づき問診回答データベース１２２０を用いて栄養素毎の不足度を算出する。そして、栄養量処理部１０５０は、この不足度を栄養要求量の初期値として、総合栄養素処理、相互作用処理、及び目的別栄養素処理を行う。
【０１７４】
まず、総合栄養素処理部１０７０は、不足度が１００％を越える栄養素数に応じて、栄養要求量に全栄養素を一定比率で加える総合的処理を行う（Ｓ６００）。本実施の形態においては、全栄養素２１個のうち、１００％を越える不足度の栄養素が１〜４の場合、総合栄養素処理部１０７０は、全栄養素について各々１日当たりの所要量の１／３×比率Ｐｔ分を栄養要求量に加算する。１００％を越える不足度の栄養素が５以上の場合についても、Ｓ６００のブロック内に示した様に総合栄養素を栄養要求量に加算する。
【０１７５】
ここでＰｔは、総合栄養素処理及び相互作用処理で加える栄養素量の割合を示す値であり、例えば第１段階では１、第２段階では０．５、第３段階では０．２５、第４段階及び第５段階では０の値をとる。Ｐｔを段階を進む毎に減少させることで、最初は顧客の栄養素を総合的に補う栄養補助剤を提案し、徐々に生活目標の達成に必要な栄養素及び顧客にとって不足しやすい栄養素を補う栄養補助剤の提案に重点を移していく栄養補助剤配合システム１００２を実現できる。
【０１７６】
次に、相互作用処理部１０８０は、ビタミンＢ群（栄養素ＩＤ＝５〜１２）について不足度が１００％を越える栄養素数に応じて、ビタミンＢ群の全栄養素を一定比率で加える相互作用処理を行う（Ｓ６１０）。本実施の形態においては、ビタミンＢ群８個のうち、１００％を越える不足度の栄養素が３〜４の場合、相互作用処理部１０８０は、ビタミンＢ群の栄養素について各々１日当たりの所要量の５０％×比率Ｐｔ分を栄養要求量に加算する。１００％を越える不足殿栄養素が５以上の場合についても、Ｓ６１０のブロック内に示した様にビタミンＢ群を栄養要求量に加算する。
【０１７７】
次に、相互作用処理部１０８０は、水溶性ビタミン群（栄養素ＩＤ＝５〜１４）についての相互作用処理を行う（Ｓ６２０）。次に、相互作用処理部１０８０は、脂溶性ビタミン（栄養素ＩＤ＝１〜４）についての相互作用処理を行う（Ｓ６３０）。
【０１７８】
次に、相互作用処理部１０８０は、微量ミネラル（栄養素ＩＤ＝１５〜２１）についての相互作用処理を行う（Ｓ６４０）。以上Ｓ６２０からＳ６４０について、相互作用処理部１０８０は、ビタミンＢ群と同様の手法を用いて栄養要求量を調整する。
【０１７９】
次に、相互作用処理部１０８０は、カルシウム不足に対応する相互作用処理を行う（Ｓ６５０）。すなわち、相互作用処理部１０８０は、カルシウム（栄養素ＩＤ２０）の不足度が２００％以上の場合、カルシウムの吸収を促進するマグネシウム（栄養素ＩＤ２１）、ビタミンＤ（栄養素ＩＤ２）、及びビタミンＫ(栄養素ＩＤ４）を、栄養要求量に加算する。この加算量は、例えばマグネシウム、ビタミンＤ、ビタミンＫのうち２つ以上について不足度が１００％以内の場合１日当たりの所要量の１／３×比率Ｐｔ分、不足度が１００％超から１５０％以下の場合１日当たりの所要量の１００％×比率Ｐｔ分、不足度が１５０％を超える場合、予め定められた最大量×比率Ｐｔ分に設定される。
【０１８０】
次に、目的別栄養処理部１０９０は、生活目標に対応する栄養素を加算する目的別栄養素処理を行う（Ｓ６６０）。すなわち、目的別栄養処理部１０９０は、顧客の生活目標をキーとして図１０に示した生活目標データベース１２６０を検索して各栄養素の追加量を取得し、これらを栄養要求量に加算する。
【０１８１】
図１６は、本実施の形態にかかる抑制処理部１１００における抑制処理を示すフローチャートである。抑制処理部１１００は、栄養素データベース１２４０が保持する各栄養素毎の１日当たりの所要量及び許容上限摂取量に基づき抑制処理を行う。図１６は、１８〜２９歳の女性におけるビタミンＡの抑制処理について図示している。
【０１８２】
抑制処理部１１００は、ビタミンＡの抑制処理に先立ち、顧客の性別、年齢、及び栄養素ＩＤ１（ビタミンＡ）をキーとして図９の栄養素データベース１２４０を検索し、１日当たりの所要量１８００ＩＵ、１日当たりの許容上限摂取量５０００ＩＵを取得する。
【０１８３】
ビタミンＡの抑制処理（Ｓ７００）においては、まず、抑制処理部１１００は、目的別栄養処理部１０９０から受けたビタミンＡの栄養要求量と１日当たりの所要量１８００ＩＵを比較する（Ｓ７１０）。ビタミンＡの栄養要求量が１８００ＩＵ以下の場合、ビタミンＡの抑制処理は不要であるため、抑制処理部１１００はビタミンＡの抑制処理を終了する。
【０１８４】
次に、抑制処理部１１００は、総合栄養素処理部１０７０が問診回答に基づき算出したビタミンＡの不足度が１５０％を越えるかどうかをチェックする（Ｓ７２０）。
【０１８５】
ビタミンＡの不足度が１５０％を越える場合、抑制処理部１１００は、ビタミンＡの栄養要求量を２０００ＩＵに抑制する。この時、抑制処理部１１００は、元のビタミンＡの栄養要求量が２０００ＩＵを越える分については、超過量１００ＩＵにつきカロチノイド１８０μｇを栄養要求量に追加する（Ｓ７３０）。これにより、栄養補助剤として提供できる様ビタミンＡの含有量に制限を加えると共に、必要に応じて体内でビタミンＡに変換されるカロチノイドを追加して不足を補うことができる。
【０１８６】
ビタミンＡの不足度が１５０％を越えない場合、抑制処理部１１００は、ビタミンＡの栄養要求量を１８００ＩＵに抑制する。この時、抑制処理部１１００は、元のビタミンＡの栄養要求量が１８００ＩＵを越える分については、超過量１００ＩＵにつきカロチノイド１８０μｇを栄養要求量に追加する（Ｓ７４０）。
【０１８７】
次に、抑制処理部１１００は、カロチノイドの追加量が２５ｍｇを越えるかどうかをチェックする（Ｓ７５０）。そして、カロチノイドの追加量が２５ｍｇを越える場合、抑制処理部１１００はカロチノイドの追加量を２５ｍｇに抑えると共に、栄養補助剤提案部１１３０に野菜濃縮タイプの栄養食品を併用する様顧客に対して提案させる（Ｓ７６０）。
【０１８８】
図１７は、本実施の形態にかかる相関処理部１０４０における相関処理を示すフローチャートである。本実施の形態では、相関処理部１０４０は、問診履歴データベース１２３０及び／又は個人情報データベース１２００内のデータを用いて、生活環境又は生活目標と栄養素の不足度との相関関係を解析する。
【０１８９】
まず、相関処理部１０４０は、相関関係の有無を解析する対象となる条件を設定する（Ｓ１７００）。この条件は、例えば問診履歴データベース１２３０が保持する飲酒、喫煙等の問診回答、個人情報データベース１２００の住所が"東京都"かどうか等、問診履歴データベース１２３０及び個人情報データベース１２００に含まれる種々の条件から選択可能である。
【０１９０】
また、相関処理部１０４０は、東京都在住の喫煙者等、問診履歴データベース１２３０及び／又は個人情報データベース１２００から複合条件を設定してもよい。
【０１９１】
あるいは、相関処理部１０４０は、問診履歴データベース１２３０内の同一顧客の問診回答の時間経過を用いて、条件を設定してもよい。例えば、相関処理部１０４０は、問診履歴データベース１２３０内の体重に関する問診回答を用いて、体重が減少しているかどうかの条件と栄養素の不足度との相関関係を解析できる。
【０１９２】
次に、相関処理部１０４０は、各栄養素毎に、条件が成立する顧客の栄養素の不足度及び条件が成立しない顧客の栄養素の不足度を用いて、条件と当該栄養素の不足度の相関係数を算出する（Ｓ１７１０）。
【０１９３】
すなわち、まず、相関処理部１０４０は、個人情報データベース１２００の各顧客について、個人情報データベース１２００及び対応する顧客ＩＤを持つ問診履歴データベース１２３０の行を検査し、当該顧客の条件成立有無を判定する。
【０１９４】
次に、相関処理部１０４０は、当該顧客の顧客ＩＤ、解析する栄養素の栄養素ＩＤ、及び履歴種類＝"不足度"を用いて、問診履歴データベース１２３０から当該栄養素の不足度を検索する。さらに、相関処理部１０４０は、登録日を参照して、最新の不足度を取得、又は不足度の遷移を取得する等の処理を行う。
【０１９５】
そして、相関処理部１０４０は、以上により検索した条件の成立／不成立と栄養素の不足度を用いて、相関係数を算出する。相関処理部１０４０は、以上の処理を各栄養素について行い、条件と各栄養素の不足度の相関関係を得る。
【０１９６】
次に、相関処理部１０４０は、各栄養素に対応する相関係数が予め定められた既定値を越えるかどうかを判定する。そして、相関処理部１０４０は、全ての栄養素について対応する相関係数が予め定められた既定値を超えない場合、処理をＳ１７００に進め次の条件についての解析を行う（Ｓ１７２０）。
【０１９７】
次に、相関処理部１０４０は、相関データベース１２７０に、解析した相関関係を登録する（Ｓ１７３０）。すなわち、相関処理部１０４０は、相関ＩＤを新しく割り当て相関データベース１２７０に行を追加し、この行に条件を登録する。また、相関係数が既定値を越える栄養素について不足栄養素（仮説）の対応する栄養素ＩＤの欄にチェックを登録する。
【０１９８】
以上に示した様に、相関処理部１０４０は、常時条件を変更しながら条件と栄養素の不足度の関係を解析する。これにより、栄養補助剤配合システム１００２は、蓄積した顧客の個人情報及び問診履歴に基づき生活環境又は生活目標と栄養素の不足度の相関関係を解析し、解析結果に基づき問診項目の選択を行うことができる。
【０１９９】
図１８は、本発明の実施の形態にかかる栄養補助剤配合システム１００２のハードウェア構成の一例を示す。図２に示した栄養補助剤配合システム１００２の機能は、ＣＰＵ１８２０、ＲＯＭ１８３０、ＲＡＭ１８４０、通信インターフェイス１８５０、ハードディスクドライブ１８６０、及び入出力インターフェイス１８９０を備える計算機１８００、及び栄養補助剤製造装置１８１０と、計算機１８００上で実行されるプログラムとの連携により実現される。
【０２００】
プログラムは、計算機１８００及び栄養補助剤製造装置１８１０を、顧客認証部１０１０、問診処理部１０２０、環境検索部１０２５、相関処理部１０４０、総合栄養素処理部１０７０、相互作用処理部１０８０、目的別栄養処理部１０９０、抑制処理部１１００、病名推定部１１１０、医療機関推奨部１１２０、栄養補助剤提案部１１３０、製造依頼入力部１１４０、及び、栄養補助剤配合部１１５０として動作させる機能を備える。ここで、栄養補助剤配合部１１５０の機能は、計算機１８００上で動作する栄養補助剤製造装置１８１０の制御プログラムと、栄養補助剤製造装置１８１０の組合せにより実現される。
【０２０１】
また、個人情報データベース１２００、問診項目データベース１２１０、問診回答データベース１２２０、問診履歴データベース１２３０、栄養素データベース１２４０、生活環境データベース１２５０、生活目標データベース１２６０、相関データベース１２７０、推定病名データベース１２８０、及び医療機関データベース１２９０は、計算機１８００上のハードディスクドライブ１８６０に配置される。
【０２０２】
以上に示したプログラム及び／又は各データベースは、外部の記憶媒体に格納されてもよい。記憶媒体としては、フロッピーディスク１８９５、ＣＤ−ＲＯＭ１８９６の他に、ＤＶＤなどの光学記録媒体、ＭＤ等の磁気記録媒体、ＰＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、通信網を介してプログラム及び／又は各データベースを栄養補助剤配合システム１００２に提供してもよい。
【０２０３】
このような記録媒体は、栄養補助剤配合システム１００２を実現するためのみに使用されるものであり、そのような記録媒体の業としての製造及び販売等が本出願に基づく特許権の侵害を構成することは明らかである。
【０２０４】
また、図２に示した栄養補助剤配合システム１００２は、複数の計算機を用いて実現してもよい。この場合、顧客認証部１０１０、問診処理部１０２０、環境検索部１０２５、相関処理部１０４０、総合栄養素処理部１０７０、相互作用処理部１０８０、目的別栄養処理部１０９０、抑制処理部１１００、病名推定部１１１０、医療機関推奨部１１２０、栄養補助剤提案部１１３０、製造依頼入力部１１４０、及び、栄養補助剤配合部１１５０の栄養補助剤製造機器を制御する部分の各部、及び、個人情報データベース１２００、問診項目データベース１２１０、問診回答データベース１２２０、問診履歴データベース１２３０、栄養素データベース１２４０、生活環境データベース１２５０、生活目標データベース１２６０、相関データベース１２７０、推定病名データベース１２８０、及び医療機関データベース１２９０の各データは、複数の計算機上の任意の場所に配置されてもよい。
【０２０５】
図１９は、本実施の形態の変形例にかかる栄養補助剤配合システム１００２の構成を示す図である。本栄養補助剤配合システム１００２は、栄養補助剤提案装置１９００と少なくとも１つの栄養補助剤配合装置１９１０を、ネットワーク１００１で接続した構成をとる。栄養補助剤提案装置１９００は、例えば薬局又はコンビニエンスストア等に配置されてもよい。
【０２０６】
栄養補助剤提案装置１９００と栄養補助剤配合装置１９１０は、図２に示した栄養補助剤配合システム１００２の機能を分担する。
【０２０７】
図２０は、本実施の形態の変形例にかかる栄養補助剤配合装置１９１０の一例を示す。本栄養補助剤配合装置１９１０は、入出力装置２０００、問診処理部２２００、顧客認証入力部２０１０、栄養補助剤配合取得部２０２０、製造依頼入力部１１４０、及び栄養補助剤配合部１１５０を備える。
【０２０８】
入出力装置２０００と顧客認証入力部２０１０の組は、本発明にかかる顧客認証入力部の一例である。入出力装置２０００は、顧客の認証入力、問診項目の表示及び問診回答の入力、及び栄養補助剤の配合の提案及び製造依頼の入力等の顧客に対する入出力処理を行う。
【０２０９】
顧客認証入力部２０１０は、入出力装置２０００を用いて得た顧客の認証情報を用いて、ネットワーク１００１を介して栄養補助剤提案装置１９００に顧客の認証を行わせる。問診処理部２２００は、栄養補助剤提案装置１９００からネットワーク１００１を介して問診項目を取得し、入出力装置２０００を用いて問診項目を表示し顧客から問診回答を得る。そして、問診処理部２２００は、取得した問診回答を栄養補助剤提案装置１９００に送付する。
【０２１０】
栄養補助剤提案装置１９００は、栄養補助剤配合装置１９１０上の問診処理部２２００から受けた問診回答及び栄養補助剤提案装置１９００内のデータを基に、栄養補助剤の配合を提案する。
【０２１１】
栄養補助剤配合取得部２０２０は、栄養補助剤提案装置１９００が提案した栄養補助剤の配合を、ネットワーク１００１を介して取得する。製造依頼入力部１１４０は、栄養補助剤配合取得部２０２０から受けた配合情報に基づく栄養補助剤の製造を、顧客が依頼するかを入出力装置２０００を介して問い合わせる。
【０２１２】
また、製造依頼入力部１１４０は、栄養補助剤配合取得部２０２０から受けた配合情報を、入出力装置２０００を介して磁気カード、ＩＣカード、又はフラッシュメモリ等に記録してもよい。栄養補助剤配合部１１５０は、栄養補助剤配合取得部２０２０が取得した配合情報を製造依頼入力部１１４０を介して受取り、栄養補助剤を配合する。
【０２１３】
図２１は、本実施の形態の変形例にかかる栄養補助剤提案装置１９００の一例を示す。本栄養補助剤提案装置１９００は、図２０に示した栄養補助剤配合装置に含まれる製造依頼入力部１１４０及び栄養補助剤配合部１１５０を取り除いた点、及び、栄養補助剤提案部１１３０から、ネットワーク１００１を介して栄養補助剤配合部１９１０上の栄養補助剤配合取得部２０２０へ栄養補助剤の配合を送付する点が、図２に示した栄養補助剤配合システム１００２と異なる。
【０２１４】
顧客認証部１０１０は、栄養補助剤配合装置１９１０から顧客の認証情報を得て、顧客を認証する。問診処理部１０２０は、栄養補助剤配合装置１９１０上の入出力装置２０００からネットワーク１００１を介して顧客の問診回答を得る。栄養補助剤提案装置１９００は、以後図２に示した栄養補助剤配合システムと同様にして、栄養補助剤の配合を提案し、ネットワーク１００１を介して栄養補助剤配合部１９１０上の栄養補助剤配合取得部２０２０へ栄養補助剤の配合を送付する。
【０２１５】
栄養補助剤提案装置１９００は、栄養補助剤配合装置１９１０から受けたアクセスに対して、問診を行わない方式を採ることもできる。すなわち、例えば、顧客認証部１０１０が顧客を認証すると、問診履歴データベース１２３０が保持する顧客の栄養素の不足度又は栄養補助剤の配合のデータに基づき、栄養補助剤の配合を提案する。これにより、栄養補助剤配合装置１９１０は、入出力装置２０００上に問診項目の表示及び問診回答の入力を行える機能を持たない場合においても、栄養補助剤を配合できる。
【０２１６】
図２２は、本実施の形態の他の変形例にかかる栄養補助剤配合装置１９１０の一例を示す。本栄養補助剤配合装置１９１０は、入出力装置２０００、栄養補助剤配合取得部２０２０、製造依頼入力部１１４０、及び栄養補助剤配合部１１５０を備える。
【０２１７】
入出力装置２０００と栄養補助剤配合取得部２０２０の組は、本発明にかかる栄養補助剤配合取得部の一例である。
【０２１８】
入出力装置２０００は、顧客に対する栄養補助剤の配合情報の入力、及び製造依頼の入力等の顧客に対する入出力処理を行う。ここで、入出力装置２０００は、栄養補助剤の配合情報を、例えば図１の端末１０００又は図２０の入出力装置２０００によって配合情報を記録した磁気カード、ＩＣカード、又はフラッシュメモリ等から取得してもよい。
【０２１９】
栄養補助剤配合取得部２０２０は、顧客に対する栄養補助剤の配合を、入出力装置２０００から取得する。製造依頼入力部１１４０は、栄養補助剤配合取得部２０２０から受けた配合情報に基づく栄養補助剤の製造を、顧客が依頼するかを入出力装置２０００を介して問い合わせる。栄養補助剤配合部１１５０は、栄養補助剤配合取得部２０２０が取得した配合情報を製造依頼入力部１１４０を介して受取り、栄養補助剤を配合する。
【０２２０】
以上に示した本実施の形態並びに本実施の形態の変形例においては、本栄養補助剤配合システム１００２は、異なる日時において継続的に顧客の問診を行い、これらの問診結果に基づき顧客の栄養要求量を算出することができる。また、本栄養補助剤配合システム１００２は、算出した栄養要求量に基づき、顧客に適した栄養補助剤を提案することができる。更に、本栄養補助剤配合システム１００２は、提案した栄養補助剤の製造依頼を顧客から受けて、栄養補助剤を製造し、顧客に提供することができる。
【０２２１】
以上により、本栄養補助剤配合システム１００２は、顧客の体質や、生活目標に応じた栄養摂取をサポートするサービスを顧客に対して提供することができる。
【０２２２】
以上発明の実施の形態を説明したが、本出願に係る発明の技術的範囲は上記の実施の形態に限定されるものではない。上記実施の形態に種々の変更を加えて、特許請求の範囲に記載の発明を実施することができる。そのような発明が本出願に係る発明の技術的範囲に属することもまた、特許請求の範囲の記載から明らかである。
【０２２３】
例えば、栄養要求量算出部１０３０は、問診回答から顧客の栄養要求量を算出する栄養要求量算出装置として独立して使用してもよい。さらに、栄養要求量算出装置は、問診処理部１０２０及び／又は環境検索部１０２５を備えてもよい。また、栄養量処理部１０５０は、栄養要求量を顧客に提示すると共に、顧客の栄養素の不足度に基づき、この顧客に対して栄養摂取の助言を行う機能を備えてもよい。
【０２２４】
また、栄養要求量算出部１０３０と栄養補助剤提案部１１３０は、問診回答から顧客の栄養要求量を算出し、栄養補助剤の配合を提案する栄養補助剤提案装置として独立して使用してもよい。さらに、栄養補助剤提案装置は、問診処理部１０２０及び／又は環境検索部１０２５を備えてもよい。
【０２２５】
また、顧客の端末１０００は、顧客がキーボード等を用いて認証情報を入力するのに代えて、顧客ＩＤを含む情報を顧客識別情報として記録した磁気カード、ＩＣカード、フラッシュメモリ等の記録媒体を読み取ることで、顧客の認証情報を取得してもよい。
【０２２６】
また、入出力装置２０００は、顧客ＩＤを含む情報を顧客識別情報として記録した磁気カード、ＩＣカード、フラッシュメモリ等の記録媒体を読み取ることで、顧客の認証入力を行ってもよい。
【０２２７】
また、問診処理部１０２０は、問診項目データベース１２１０の内容をネットワーク１００１を介して顧客の端末１０００に送付して、端末１０００側で問診処理を行わせてもよい。
【０２２８】
また、問診処理部１０２０は、図１４に示した問診処理に代えて、予め問診項目データベース１２１０内の複数の問診項目について問診要否を判定し、問診要と判定した問診項目についてまとめて問診メッセージ表示（Ｓ５３０）及び問診回答取得（Ｓ５４０）を行ってもよい。この場合、問診処理部１０２０は、問診項目データベース１２３０内の全問診項目を判定する際に、当該問診項目が他の問診項目の回答によっては問診不要となるかどうかを判定してもよい。
【０２２９】
さらに、問診処理部１０２０は、問診要否の判定において、段階別問診指定、生活目標別問診指定、問診間隔、不足栄養素別問診指定、及び相関データベース１２７０内の相関関係の各条件から問診回答の必要性を表す数値である回答要求度を算出してもよい。この場合、例えば問診処理部１０２０は、回答要求度の高い問診項目から順に問診を行ってもよい。また、例えば問診処理部１０２０は、例えば顧客が問診回答を中断した場合に、問診履歴データベース１２３０内に保持する顧客の以前の問診回答を用いて、顧客が回答しなかった問診項目の問診回答を補ってもよい。
【０２３０】
また、環境検索部１０２５及び生活環境データベース１２５０は、大気汚染の他に、例えば水質、紫外線量、降水量、騒音等の生活環境情報を処理可能としてもよい。
【０２３１】
また、総合栄養素処理部１０７０は、相関データベース１２７０に格納された生活環境及び／又は生活目標と栄養素の不足度の相関関係に基づき、栄養要求量を調整してもよい。すなわち、例えば、総合栄養素処理部１０７０は、顧客が相関データベース１２７０に格納された条件を満たす場合に、当該条件に対応する不足栄養素を予め定めた分量栄養要求量に加えてもよい。
【０２３２】
また、相関処理部１０４０は、相関データベース１２７０に、不足栄養素の量を示す値を格納してもよい。相関処理部１０４０は、不足栄養素の量を示す値を、例えば、条件成立及び条件不成立毎の栄養素の不足度を平均した値の差としてもよい。この場合、総合栄養素処理部１０７０は、顧客が相関データベース１２７０に格納された条件を満たす場合に、当該条件に対応する不足栄養素の量を栄養要求量に加える。
【０２３３】
また、総合栄養素処理部１０７０は、図１５に示した総合栄養素処理（Ｓ６００）において、以前に提案した栄養補助剤を顧客が摂取しているかを示す問診項目（図５の問診ＩＤ４０００）に対する問診回答を用いてもよい。すなわち、例えば、総合栄養素処理部１０７０は、以前に提案した栄養補助剤を顧客が摂取しており、かつ問診履歴データベース１２３０内に格納されている以前の栄養素の不足度と今回の問診回答による栄養素の不足度の差が既定値より小さい場合、栄養要求量を増加させる等の対策を行い対応する栄養素の摂取量を増加させてもよい。
【０２３４】
また、総合栄養素処理部１０７０は、図１５に示した総合栄養素処理（Ｓ６００）において、問診履歴データベース１２３０を参照し、製造した栄養補助剤に含まれる栄養素の量と、この栄養補助剤を摂取した後の問診による栄養素の不足度の関係を基に、栄養要求量を変更してもよい。
【０２３５】
また、目的別栄養処理部１０９０、個人情報データベース１２００、及び生活目標データベース１２６０は、生活目標として、本実施の形態で示した免疫力向上、乾燥肌対策、肌荒れ対策以外に、例えば、ダイエット、運動能力向上、肌のくすみ対策、肌の弾力性対策、爪の脆さ・剥げ易さ・折れ易さ・裂け易さ対策、爪の変形・発育対策、月経不順対策、便秘対策、又は下痢対策等を含む栄養素に関する種々の目標を処理可能としてもよい。
【０２３６】
また、栄養補助剤提案部１１３０及び個人情報データベース１２００は、栄養補助剤の色として、例えばランダムな色付けの指定、摂取すべき曜日別の色付け、又は固形の栄養補助剤と液状の栄養補助剤で異なる色付け等の種々の色指定が可能であってよい。さらに、個人情報データベース１２００が保持する予め顧客が指定した色指定に代えて、問診処理部１０２０又は製造依頼入力部１１４０が、顧客に色指定を入力させてもよい。
【０２３７】
また、栄養補助剤提案部１１３０及び個人情報データベース１２００は、栄養補助剤の味として、例えばランダムな味付けの指定、摂取すべき曜日別の味付け、固形の栄養補助剤と液状の栄養補助剤で異なる味付け、又は調味料の量を指定可能とする等の種々の味指定が可能であってよい。さらに、個人情報データベース１２００が保持する予め顧客が指定した味指定に代えて、問診処理部１０２０又は製造依頼入力部１１４０が、顧客に味指定を入力させてもよい。
【０２３８】
また、栄養補助剤提案部１１３０及び個人情報データベース１２００は、栄養補助剤の香りとして、例えばランダムな香り付けの指定、摂取すべき曜日別の香り付け、固形の栄養補助剤と液状の栄養補助剤で異なる香り付け、又は香料の量を指定可能とする等の種々の香り指定が可能であってよい。さらに、個人情報データベース１２００が保持する予め顧客が指定した香り指定に代えて、問診処理部１０２０又は製造依頼入力部１１４０が、顧客に香り指定を入力させてもよい。
【０２３９】
また、栄養補助剤提案部１１３０及び個人情報データベース１２００は、栄養補助剤のパッケージ方法として、例えばランダムなパッケージ方法の選択、摂取すべき曜日別のパッケージ方法、又はパッケージの個数・大きさを指定可能とする等の種々のパッケージ方法指定が可能であってよい。さらに、個人情報データベース１２００が保持する予め顧客が指定したパッケージ方法指定に代えて、問診処理部１０２０又は製造依頼入力部１１４０が、顧客にパッケージ方法指定を入力させてもよい。
【０２４０】
また、栄養量処理部１０５０及び栄養素データベース１２４０は、厚生省のデータに基づく１日当たりの所要量及び許容上限摂取量に代えて、他の国の基準を用いてもよい。さらに、例えば、栄養素データベース１２４０に国又は住所をさらに登録可能とし、複数の国が指定する所要量及び許容上限摂取量を保持してもよい。この場合、栄養量処理部１０５０は、顧客の居住国を用いて栄養素データベース１２４０を検索することにより、顧客の居住国が指定する指針に基づき栄養補助剤の配合を決定することができる。
【０２４１】
以上の説明から明らかなように、本発明によれば各々の対象者の体質や、種々の生活目標に応じて栄養摂取をサポートできる栄養補助剤配合システムを提供することができる。
【符号の説明】
【０２４２】
１０００  端末、１００１  ネットワーク、１００２  栄養補助剤配合システム、１０１０  顧客認証部、１０２０  問診処理部、１０２５  環境検索部、１０３０  栄養要求量算出部、１０４０  相関処理部、１０５０  栄養量処理部、１０６０  診療推奨部、１０７０  総合栄養素処理部、１０８０  相互作用処理部、１０９０  目的別栄養処理部、１１００  抑制処理部、１１１０  病名推定部、１１２０  医療機関推奨部、１１３０  栄養補助剤提案部、１１４０  製造依頼入力部、１１５０  栄養補助剤配合部、１２００  個人情報データベース、１２１０  問診項目データベース、１２２０  問診回答データベース、１２３０  問診履歴データベース、１２４０  栄養素データベース、１２５０  生活環境データベース、１２６０  生活目標データベース、１２７０  相関データベース、１２８０  推定病名データベース、１２９０  医療機関データベース、１８００  計算機、１８１０  栄養補助剤製造装置、１８２０  ＣＰＵ、１８３０  ＲＯＭ、１８４０  ＲＡＭ、１８５０  通信インターフェイス、１８６０  ハードディスクドライブ、１８７０  ＦＤドライブ、１８８０  ＣＤ−ＲＯＭドライブ、１８９０  入出力インターフェイス、１８９５  フロッピーディスク、１８９６  ＣＤ−ＲＯＭ、１９００  栄養補助剤提案装置、１９１０  栄養補助剤配合装置、２０００  入出力装置、２０１０  顧客認証入力部、２０２０  栄養補助剤配合取得部、２２００  問診処理部
【図１】
0005616842.tif 000002
【図２】
0005616842.tif 000003
【図３】
0005616842.tif 000004
【図４】
0005616842.tif 000005
【図５】
0005616842.tif 000006
【図６】
0005616842.tif 000007
【図７】
0005616842.tif 000008
【図８】
0005616842.tif 000009
【図９】
0005616842.tif 000010
【図１０】
0005616842.tif 000011
【図１１】
0005616842.tif 000012
【図１２】
0005616842.tif 000013
【図１３】
0005616842.tif 000014
【図１４】
0005616842.tif 000015
【図１５】
0005616842.tif 000016
【図１６】
0005616842.tif 000017
【図１７】
0005616842.tif 000018
【図１８】
0005616842.tif 000019
【図１９】
0005616842.tif 000020
【図２０】
0005616842.tif 000021
【図２１】
0005616842.tif 000022
【図２２】
0005616842.tif 000023